(57)【特許請求の範囲】
【請求項１】
複数の位置に回動して移動する第１の回動操作体と、
該第１の回動操作体と同軸に配された第２の回動操作体と、
該第２の回動操作体に同軸に連設された軸体と、
該軸体に対向して配設され、前記第１の回動操作体の回動に応じて軸方向へ移動する移動体と、
前記軸体又は前記移動体の一方に設けられ、前記軸体の回動方向に所定間隔で連設された複数の凹部又は凸部を有する係合部と、
前記軸体又は前記移動体の他方に設けられ、前記係合部へ弾性付勢されて前記凹部又は凸部に係合される被係合部と
を備え、
前記一方には、異なる数の凹部又は凸部をそれぞれ有する複数の係合部が前記軸方向に並設してあり、
前記移動体の移動に応じて、前記被係合部が弾性付勢される係合部が変更されるようにしてあること
を特徴とする操作装置。
【請求項２】
前記移動体は、前記軸体が挿通する筒状であり、
前記複数の係合部は、前記移動体の軸方向に、前記移動体の内周面に並設してあり、
前記被係合部は、前記軸体の外周面に設けてあること
を特徴とする請求項１に記載の操作装置。
【請求項３】
前記複数の係合部は、前記軸体の軸方向に、前記軸体の外周面に並設してあり、
前記被係合部は、前記移動体に設けてあること
を特徴とする請求項１に記載の操作装置。
【請求項４】
前記移動体は、前記軸体が挿通する筒状であり、
前記被係合部は、前記移動体の内周面に設けてあること
を特徴とする請求項３に記載の操作装置。
【請求項５】
前記第１の回動操作体に同軸に連設された筒体と、
該筒体に形成され、前記筒体の周方向に沿って長い形状をなし、前記筒体の軸方向に徐々に変位する案内溝部と、
前記移動体に突設され、前記案内溝部に挿入される棒状の被挿入部と
を備え、
前記筒体の回動に応じて前記被挿入部の前記案内溝部への挿入位置が変化し、前記移動体が軸方向へ移動するようにしてあること
を特徴とする請求項１乃至請求項４のいずれか１つに記載の操作装置。
【請求項６】
複数の前記係合部の境界にそれぞれ設けられた突起部を備えること
を特徴とする請求項１乃至請求項５のいずれか１つに記載の操作装置。
【請求項７】
前記軸体と同軸に配設され、前記第２の回動操作体の回動を検知する回動検知手段を備えること
を特徴とする請求項１乃至請求項６のいずれか１つに記載の操作装置。
【請求項８】
所定間隔を隔てて前記回動方向に複数並べて設けられ、発光部及び受光部を有して該発光部が発する光の前記受光部による受光の有無により遮光を検知する遮光検知手段と、
前記軸体に前記所定間隔と異なる間隔で複数設けられ、前記軸体の回動に伴って前記発光部が発する光を順に遮光する遮光部と
を備え、
前記回動検知手段は、複数の前記遮光検知手段が検知した遮光のタイミングに応じて、前記第２の回動操作体の回動を検知するようにしてあること
を特徴とする請求項７に記載の操作装置。
【請求項９】
前記第１の回動操作体に同軸に連設された筒体と、
前記筒体の回動の位置を検知する回動位置検知手段と
を備えること
を特徴とする請求項１乃至請求項８のいずれか１つに記載の操作装置。
【請求項１０】
前記筒体の回動に伴って前記筒体に揺動操作される被操作部を有し、該被操作部の揺動による接点の切り替えを検知する切替検知素子を備え、
前記回動位置検知手段は、前記切替検知素子の検知結果により前記第１の回動操作体の回動位置を検知するようにしてあること
を特徴とする請求項９に記載の操作装置。
【請求項１１】
所定間隔を隔てて前記回動方向に複数並べて設けられ、発光部及び受光部を有して該発光部が発する光の前記受光部による受光の有無により遮光を検知する遮光検知手段と、
前記筒体に複数設けられ、前記発光部が発する光を遮光する遮光部と
を備え、
前記回動位置検知手段は、複数の前記遮光検知手段が検知した遮光の組み合わせに応じて、前記第１の回動操作体の回動位置を検知するようにしてあること
を特徴とする請求項９に記載の操作装置。
【請求項１２】
前記軸体は筒状をなし、
押圧を検知する押圧検知手段と、
押圧操作に応じて前記軸方向へ移動する押圧操作体と、
該押圧操作体に連結され、前記軸体内を挿通して前記押圧検知手段を前記押圧操作に伴って押圧する押圧部材と
を備えることを特徴とする請求項１乃至請求項１１のいずれか１つに記載の操作装置。
【請求項１３】
前記第２の回動操作体及び前記軸体は筒状をなし、
発光体と、
前記軸体内を挿通して設けられ、前記発光体が発する光を前記第２の回動操作体内へ導く導光部材と、
該導光部材に導かれた光を外部へ透過させる透光部と
を備えることを特徴とする請求項１乃至請求項１２に記載の操作装置。
【請求項１４】
前記第１の回動操作体は揺動可能に支持されており、
前記第１の回動操作体の揺動を検知する揺動検知手段を備えること
を特徴とする請求項１乃至請求項１３のいずれか１つに記載の操作装置。
【請求項１５】
前記第２の回動操作体又は前記軸体は中空であり、
中空の前記第２の回動操作体又は前記軸体に同軸に内設され、回動不能に固定された固定軸と、
前記第２の回動操作体又は前記軸体、及び前記固定軸の間に挟装された波状の環体と
を備え、
前記環体により前記第２の回動操作体に操作負荷を付与してあること
を特徴とする請求項１乃至請求項１４のいずれか１つに記載の操作装置。
【請求項１６】
請求項１乃至請求項１５のいずれか１つに記載の操作装置を複数備える操作システムであって、
各操作装置の前記第２の回動操作体に異なる操作負荷をそれぞれ付与してあること
を特徴とする操作システム。
【請求項１７】
前記第２の回動操作体又は前記軸体は中空であり、
前記操作装置は、
中空の前記第２の回動操作体又は前記軸体に同軸に内設され、回動不能に固定された固定軸と、
前記第２の回動操作体又は前記軸体、及び前記固定軸の間に挟装され、前記操作負荷を付与する波状の環体と
を有し、
各操作装置の前記環体は高さの異なる波状にしてあること
を特徴とする請求項１６に記載の操作システム。
【発明の詳細な説明】
【技術分野】
【０００１】
本発明は、例えば車輌に搭載された種々の装置（カーナビゲーション装置、オーディオ装置、エアーコンディショナー（以下、エアコンという）、テレビジョン装置又はバックカメラ等）の操作に用いることができ、配設のために大きなスペースを必要としない操作装置及び操作システムに関する。
【背景技術】
【０００２】
近年、車輌には種々の装置が搭載されている。これらの装置を動作させるためのスイッチ又はボタン等を有する操作装置は、運転席の近傍、例えばインストルメントパネルなどに配設されるが、車輌に搭載される装置の増加及び装置の多機能化に伴って、多くの機能を操作するためにはより多くのスイッチ及びボタン等が必要となり、配設スペースの不足が問題となっている。このため、少数のスイッチで多くの機能を操作することができる操作装置が求められている。
【０００３】
一方で、例えば円板型の回動体をユーザが回動操作することで機能操作を行うことができる操作装置、所謂ダイヤルスイッチが広く利用されている。ダイヤルスイッチは、例えばオーディオ装置での音量調節又はエアコンでの温度調節等に利用することができる。また、ダイヤルスイッチは、ユーザによる回動操作が行われた際に、回動体の回動に伴ってクリック感を生じさせるようにしてあるものが多く、これによってユーザが回動体の回動量を直感的に把握することができるという利点がある。
【０００４】
特許文献１においては、クリック感を生じさせることができ、容易に組み付けを行うことができる回転式スイッチが提案されている。この回転式スイッチは、固定部材に回転自在に取り付けられて外部操作により回転する可動部材を備え、この可動部材には、複数のクリック用凹部が所定ピッチで固定部材に対向するように形成された環状受部を設ける。また、固定部材には、可動部材の環状受部に対向する部位に、クリック用凹部に嵌合するボール部を有する保持部材をスプリングによりクリック用凹部に押し付けるように設ける。これらにより、クリック用凹部とボール部との嵌合によってクリック感を生じさせることができる。
【０００５】
上述の配設スペースが不足する問題を解決するために、一つのダイヤルスイッチを用いてユーザが複数の機能操作を行うことができる操作装置が検討され実用化され始めている。例えば、エアコンを操作するための操作装置が、"温度調整"、"風量調整"又は"風向調整"等の各モードを切り替える切替スイッチをダイヤルスイッチと共に備えて、ユーザが切替スイッチを操作していずれかのモードに切り替えた後にダイヤルスイッチを回動操作することによって各モードに対応する機能の調整を行うことができる構成とすることができる。
【０００６】
しかしながら、このような操作装置において、従来はダイヤルスイッチの回動操作に伴うクリック感は一定であり、切替スイッチによりモードを切り替えた場合であってもクリック感を変更することはできなかった。このため、温度調整及び風量調整のように十段階以上の多段階で調整を行う場合と、風向のように数段階程度で調整を行う場合とで、ユーザが回動操作を行った際に生じるクリック感が同じであり、良好な操作性を得られないという問題があった。
【０００７】
特許文献２においては、複数の電子機器の中から所望の機器を選択して操作することができると共に、選択した機器に応じてクリック感を変更することができる操作ユニットが提案されている。この操作ユニットでは、押しボタンを押圧操作した場合に、中央部で枢支されたばね体の一端側が押し下げられて他端側が押し上げられ、ばね体の他端側に配された球体部の上方球面部がクリック溝が形成された円板部材の下面に当接する構成としてある。円板部材は回転操作のための操作つまみと同軸に配してあり、ばね体の球体部と円板部材のクリック溝が当接することによって、操作つまみの回転操作に伴ってクリック感が生じる。更に、各機器の選択に対応付けられた複数の押しボタンと、各押しボタンにそれぞれ押し下げられる複数のばね体と、各ばね体に設けられた球体部がそれぞれ当接する複数の円板部材とを備えて、各円盤部材のクリック溝の数又は形状等が異なる構成とすることにより、操作対象の機器毎に、操作つまみを回転操作した際に生じるクリック感を変更することができる。
【特許文献１】特開２００６−２６０９４９号公報
【特許文献２】特開２００６−２２２００３号公報
【発明の開示】
【発明が解決しようとする課題】
【０００８】
特許文献２に記載の操作ユニットでは、操作対象の機器毎にクリック感を変更することができるが、操作対象の機器を選択するための押しボタンを操作つまみの周辺に複数配設する必要があるため、操作ユニットのサイズが大きく、大きな配設スペースを必要とする。このため、車輌のインストルメントパネルなどの限られたスペースに配設することは容易ではない。よって、上述の配設スペースが不足する問題を解決し得るものではない。
【０００９】
本発明は、斯かる事情に鑑みてなされたものであって、その目的とするところは、複数の位置に回動して移動する第１の回動操作体と、これと同軸に配された第２の回動操作体とを備えて、第１の回動体に対する回動操作により、第２の回動操作体を操作した際に生じるクリック感を変更することができる構成とすることにより、小さなスペースに容易に配設することができると共に、複数の機能を第１の回動体に対する操作で切り替えて、異なるクリック感での第２の回動体に対する操作で機能の調整操作を行うことができる操作装置を提供することにある。
【００１０】
また本発明の他の目的とするところは、第１の回動操作体の回動に応じて軸方向へ移動する筒状の移動体の内周面に、複数の係合部を軸方向に並設すると共に、移動体に対向するように第２の回動操作体に同軸に連設された軸体に、係合部へ弾性付勢される被係合部を設ける構成とすることにより、第１の回動操作体の回動に応じて被係合部が係合される係合部が変更され、確実且つ容易にクリック感を変更することができる操作装置を提供することにある。
【００１１】
また本発明の他の目的とするところは、第２の回動操作体に同軸に連設された軸体の外周面に複数の係合部を軸方向に並設すると共に、第１の回動操作体の回動に応じて軸方向へ移動する移動体に係合部へ弾性付勢される被係合部を設ける構成とすることにより、第１の回動操作体の回動に応じて被係合部が係合される係合部が変更され、確実且つ容易にクリック感を変更することができる操作装置を提供することにある。
【００１２】
また本発明の他の目的とするところは、移動体を筒状とし、被係合部を移動体の内周面に設ける構成とすることにより、移動体の移動を円滑に行うことができる操作装置を提供することにある。
【００１３】
また本発明の他の目的とするところは、第１の回動操作体に同軸に連設された筒体には、筒体の周方向に長く軸方向に徐々に変位する溝部を形成し、移動体にはこの溝部に挿入される棒状の被挿入部を突設し、筒体の回動に伴う被挿入部の挿入位置の変化により移動体を移動させる構成とすることにより、移動体を確実且つ容易に移動させることができ、確実且つ容易にクリック感を変更することができる操作装置を提供することにある。
【００１４】
また本発明の他の目的とするところは、並設された複数の係合部の境界に突起部を設ける構成とすることにより、第１の回動体を回動操作した際にもクリック感を生じさせることができる操作装置を提供することにある。
【００１５】
また本発明の他の目的とするところは、第２の回動操作体に連設された軸体と同軸に、回動を検知する回動検知手段を配設する構成とすることにより、より小型な操作装置を提供することにある。
【００１６】
また本発明の他の目的とするところは、軸体に設けた複数の遮光部による遮光を複数の遮光検知手段が検知し、それぞれの遮光のタイミングに応じて第２の回動操作体の回動を検知する構成とすることにより、簡単な構成で第２の回動操作体の回動を確実に検知することができる操作装置を提供することにある。
【００１７】
また本発明の他の目的とするところは、第１の回動操作体に連設された筒体の回動位置を検知する回動位置検知手段を備える構成とすることにより、第１の回動操作体に対する操作状態を検知することができる操作装置を提供することにある。
【００１８】
また本発明の他の目的とするところは、筒体の回動に伴って揺動操作される被操作部を備える切替検知素子を用いて第１の回動操作体の回動位置を検知する構成とすることにより、第１の回動操作体の回動位置が比較的少ない場合に検知を容易に行うことができる操作装置を提供することにある。
【００１９】
また本発明の他の目的とするところは、筒体に設けた複数の遮光部による遮光を複数の遮光検知手段が検知し、それぞれの遮光検知結果の組み合せに応じて第１の回動操作体の回動位置を検知する構成とすることにより、第１の回動操作体の回動位置が比較的多い場合であっても検知を容易に行うことができる操作装置を提供することにある。
【００２０】
また本発明の他の目的とするところは、押圧操作体を設けて押圧操作を受け付ける構成とすることにより、より多くの操作を受け付けることができる多機能な操作装置を提供することにある。
【００２１】
また本発明の他の目的とするところは、発光体を搭載し、軸体内を挿通して設けられた導光部材により発光体の光を第２の回動操作体内へ導き、この光を透光部から外部へ透過させる構成とすることにより、透光部が発光する視覚的効果を与えることができる操作装置を提供することにある。
【００２２】
また本発明の他の目的とするところは、第１の回動操作体を揺動可能に支持し、揺動を検知する手段を設ける構成とすることにより、第１の回動操作体により回動操作のみでなく、揺動操作を行うことができる操作装置を提供することにある。
【００２３】
また本発明の他の目的とするところは、第２の回転操作体又は軸体を中空とし、この内部に回動不能に固定された固定軸を配設し、第２の回転操作体又は軸体と固定軸との間に波状の環体を挟装する構成とすることにより、ユーザによる第２の回動操作体の回動操作に対して適度な操作負荷を与えることができる操作装置を提供することにある。
【００２４】
また本発明の他の目的とするところは、上述の操作装置を複数備えると共に、各操作装置の第２の回動操作体に異なる操作負荷を付与する構成とすることにより、ユーザが操作感を基にいずれの操作装置を操作しているかを判断することができる操作システムを提供することにある。
【００２５】
また本発明の他の目的とするところは、第２の回転操作体又は軸体を中空とし、この内部に回動不能に固定された固定軸を配設し、第２の回転操作体又は軸体と固定軸との間に波状の環体を挟装して操作負荷を付与する構成とすると共に、各操作装置の環体を高さの異なる波状とする構成とすることにより、複数の操作装置の第２の回動操作体に対して異なる操作負荷を容易に付与することができる操作システムを提供することにある。
【課題を解決するための手段】
【００２６】
第１発明に係る操作装置は、複数の位置に回動して移動する第１の回動操作体と、該第１の回動操作体と同軸に配された第２の回動操作体と、該第２の回動操作体に同軸に連設された軸体と、該軸体に対向して配設され、前記第１の回動操作体の回動に応じて軸方向へ移動する移動体と、前記軸体又は前記移動体の一方に設けられ、前記軸体の回動方向に所定間隔で連設された複数の凹部又は凸部を有する係合部と、前記軸体又は前記移動体の他方に設けられ、前記係合部へ弾性付勢されて前記凹部又は凸部に係合される被係合部とを備え、前記一方には、異なる数の凹部又は凸部をそれぞれ有する複数の係合部が前記軸方向に並設してあり、前記移動体の移動に応じて、前記被係合部が弾性付勢される係合部が変更されるようにしてあることを特徴とする。
【００２７】
本発明においては、複数の位置に回動して移動する第１の回動操作体により、移動した位置に応じて複数の機能の選択を行うと共に、第１の回動操作体と同軸に配された第２の回動操作体により、選択した機能について調整又は設定等を回動操作により行う構成とする。また、第１の回動体に対する回動操作により、第２の回動操作体を操作した際に生じるクリック感を変更する。このために、第２の回動操作体と同軸に軸体を連設すると共に、第１の回動操作体の回動に応じて軸方向へ移動する移動体を軸体に対向して配設する。軸体又は移動体の一方には、回動方向に所定間隔で連設された複数の凹部又は凸部を有する係合部を、軸方向に複数並設する。軸体又は移動体の他方には、係合部へ弾性付勢される被係合部を設ける。よって、被係合部及び係合部の係合により、第２の回動操作体の回動に伴ってクリック感を生じさせることができる。また、第１の回動操作体を回動させた場合には、移動体が軸方向へ移動し、軸方向に並設された複数の係合部のいずれかに被係合部が係合される。よって、複数の係合部に異なる数の凹部又は凸部をそれぞれ設けることによって、クリック感を変更することができる。
【００２８】
また、第２発明に係る操作装置は、前記移動体が、前記軸体が挿通する筒状であり、前記複数の係合部は、前記移動体の軸方向に、前記移動体の内周面に並設してあり、前記被係合部は、前記軸体の外周面に設けてあることを特徴とする。
【００２９】
本発明においては、第１の回動操作体の回動に応じて軸方向へ移動する移動体を筒状とし、第２の回動操作体に連設された軸体を筒状の移動体内に挿通させる。筒状の移動体の内周面には複数の係合部を軸方向に並設し、対向する軸体の外周面に弾性付勢される被係合部を設ける。これにより、軸体に設けられた被係合部を移動体に設けられた係合部の凹部又は凸部に確実に係合させてクリック感を生じさせることができると共に、筒状の移動体を軸方向へ移動させて被係合部が係合される係合部を変更することができる。よって、確実且つ容易にクリック感を変更することができるため、第２の回動操作体に対する回動操作の操作性を確実に高めることができる。
【００３０】
また、第３発明に係る操作装置は、前記複数の係合部が、前記軸体の軸方向に、前記軸体の外周面に並設してあり、前記被係合部は、前記移動体に設けてあることを特徴とする。
【００３１】
本発明においては、第２の回動操作体に連設された軸体の外周面に複数の係合部を軸方向に並設し、対向する移動体に被係合部を設ける。これにより、移動体に設けられた被係合部を軸体に設けられた係合部の凹部又は凸部に確実に係合させてクリック感を生じさせることができると共に、移動体を軸方向へ移動させて被係合部が係合される係合部を変更することができる。よって、確実且つ容易にクリック感を変更することができるため、第２の回動操作体に対する回動操作の操作性を確実に高めることができる。
【００３２】
また、第４発明に係る操作装置は、前記移動体が、前記軸体が挿通する筒状であり、前記被係合部は、前記移動体の内周面に設けてあることを特徴とする。
【００３３】
本発明においては、移動体を筒状とし、被係合部を移動体の内周面に設ける。移動体を筒状とすることによって、軸体の軸方向への移動を安定して円滑に行うことが可能となるため、クリック感の変更を確実に行うことができ、第２の回動操作体に対する回動操作の操作性を確実に高めることができる。
【００３４】
また、第５発明に係る操作装置は、前記第１の回動操作体に同軸に連設された筒体と、該筒体に形成され、前記筒体の周方向に沿って長い形状をなし、前記筒体の軸方向に徐々に変位する案内溝部と、前記移動体に突設され、前記案内溝部に挿入される棒状の被挿入部とを備え、前記筒体の回動に応じて前記被挿入部の前記案内溝部への挿入位置が変化し、前記移動体が軸方向へ移動するようにしてあることを特徴とする。
【００３５】
本発明においては、第１の回動操作体に同軸に筒体を連設して、筒体の周方向に沿って長い形状をなし、筒体の軸方向に徐々に変位する溝部を筒体に形成する。移動体には、筒体の溝部に挿入される棒状の被挿入部を設ける。第１の回動操作体の回動に伴って筒体が回動し、このときに被挿入部が溝部に挿入された移動体は、溝部に沿って軸方向に移動する。よって、第１の回動操作体の回動に応じて移動体を軸方向に確実且つ容易に移動させることができ、第２の回動操作体に対する回動操作の操作性を確実に高めることができる。
【００３６】
また、第６発明に係る操作装置は、複数の前記係合部の境界にそれぞれ設けられた突起部を備えることを特徴とする。
【００３７】
本発明においては、複数の係合部の境界に突起部を設ける。第１の回動操作体を回動操作した場合には移動体が軸方向へ移動するが、この際に係合部へ弾性付勢された被係合部が係合部の境界の突起部に係合されるためクリック感を生じさせることができる。よって、第２の回動操作体のみでなく、第１の回動操作体についても回動操作に伴ってクリック感を生じさせることができるため、操作装置の操作性をより高めることができる。
【００３８】
また、第７発明に係る操作装置は、前記軸体と同軸に配設され、前記第２の回動操作体の回動を検知する回動検知手段を備えることを特徴とする。
【００３９】
本発明においては、第２の回動操作体に連設された軸体と同軸に、第２の回動操作体の回動を検知する回動検知手段、例えばロータリエンコーダなどを配設する。操作装置においてはこのような回動検知手段を設ける必要があるが、第２の回動操作体の回動をネジ機構などを用いて回動検知手段に伝達する構成とした場合には、第２の回動操作体又は軸体の周囲に回動検知手段を配設する必要があるため、操作装置のサイズが増し、広い配設スペースを必要とする虞がある。そこで、回動検知手段を第２の回動操作体と同軸に配設することによって、この問題を回避することができる。よって、操作装置をより小型化することができるため、小さなスペースであっても操作装置をより確実に配設することができる。
【００４０】
また、第８発明に係る操作装置は、所定間隔を隔てて前記回動方向に複数並べて設けられ、発光部及び受光部を有して該発光部が発する光の前記受光部による受光の有無により遮光を検知する遮光検知手段と、前記軸体に前記所定間隔と異なる間隔で複数設けられ、前記軸体の回動に伴って前記発光部が発する光を順に遮光する遮光部とを備え、前記回動検知手段は、複数の前記遮光検知手段が検知した遮光のタイミングに応じて、前記第２の回動操作体の回動を検知するようにしてあることを特徴とする。
【００４１】
本発明においては、第２の回動操作体の回動を検知するために、軸体を回動可能に保持する基板などに発光部及び受光部をそれぞれ有する複数の遮光検知手段を回動方向に所定の間隔を隔てて設ける。また、軸体には回動に伴って発光部が発する光を順に遮光する複数の遮光部を、複数の遮光検知手段の間隔とは異なる所定の間隔で設ける。これにより、軸体の複数の遮光部によって、複数の遮光検知手段がタイミングをずらして遮光されるため、遮光を検知する順により軸体の回動方向が時計回り又は反時計回りのいずれであるかを判断できる。また、遮光検知手段が遮光を検知するタイミングから、遮光が行われた数又は時間等を調べることができ、これにより回動量又は回動速度等を判断できる。遮光検知手段は例えばフォトインタラプタなどで実現できるが、これらの素子はロータリエンコーダなどの回動を検知する素子より安価且つ小型であるため、操作装置の小型化及びコスト低減等を容易に実現することができる。また、光学的に無接点で検知を行うことができるため、接点の摩耗などが生じることがなく、検知のための機構の信頼性を高めることができる。
【００４２】
また、第９発明に係る操作装置は、前記第１の回動操作体に同軸に連設された筒体と、前記筒体の回動の位置を検知する回動位置検知手段とを備えることを特徴とする。
【００４３】
本発明においては、第１の回動操作体に筒体を同軸に連設すると共に、筒体の回動位置を検知する回動位置検知手段を設ける。第１の回動操作体は複数の位置に回動し、この位置に応じて第２の回動操作体のクリック感が変更されるが、操作装置が例えば第１の回動操作体により設定する機能の選択を受け付け、受け付けた機能の設定を第２の回動操作体にて受け付ける構成の場合に、操作装置は回動位置検知手段の検知結果に応じて設定を受け付ける機能を切り替えることができる。よって、第１の回動操作体の回動位置を検知することができ、２つの回動操作体を用いた操作の受け付けを確実に実現することができる。
【００４４】
また、第１０発明に係る操作装置は、前記筒体の回動に伴って前記筒体に揺動操作される被操作部を有し、該被操作部の揺動による接点の切り替えを検知する切替検知素子を備え、前記回動位置検知手段は、前記切替検知素子の検知結果により前記第１の回動操作体の回動位置を検知するようにしてあることを特徴とする。
【００４５】
本発明においては、揺動操作される被操作部を有する切替検知素子を設け、筒体が回動に伴って被操作部を揺動する構成とする。これにより、操作装置は切替検知素子の検知結果から筒体の回動位置を判断することができる。回動位置が２つ又は３つ程度であれば２接点又は３接点程度の切替検知素子を１つ用いることで容易に回動位置が判断できる。よって、第１の回動操作体の回動位置が比較的少ない場合において回動位置の検知を容易に行うことができ、操作装置の小型化及びコスト低減等を実現することができる。
【００４６】
また、第１１発明に係る操作装置は、所定間隔を隔てて前記回動方向に複数並べて設けられ、発光部及び受光部を有して該発光部が発する光の前記受光部による受光の有無により遮光を検知する遮光検知手段と、前記筒体に複数設けられ、前記発光部が発する光を遮光する遮光部とを備え、前記回動位置検知手段は、複数の前記遮光検知手段が検知した遮光の組み合わせに応じて、前記第１の回動操作体の回動位置を検知するようにしてあることを特徴とする。
【００４７】
本発明においては、発光部及び受光部をそれぞれ有する複数の遮光検知手段を回動方向に所定の間隔を隔てて設けると共に、筒体には複数の遮光部を所定の間隔で設ける。複数の遮光検知手段の間隔と複数の遮光部の間隔とは、同じ間隔であってもよく、異なる間隔であってもよい。これにより、筒体の回動位置に応じていくつかの遮光部がいくつかの遮光検知手段を遮光するため、複数の遮光検知手段のいずれにて遮光が検知されたかの組み合わせにより、筒体の回動位置を判断することができる。この構成の場合、遮光検知手段の数を増すことで検知できる回動位置の数を容易に増すことができる。よって、第１の回動操作体の回動位置が多い場合であっても、操作装置を大型化することなく回動位置の検知を行うことができ、操作装置の更なる多機能化を容易に実現することができる。また、光学的に無接点で回動位置を検知できるため、検知のための機構の信頼性を高めることができる。
【００４８】
また、第１２発明に係る操作装置は、前記軸体が筒状をなし、押圧を検知する押圧検知手段と、押圧操作に応じて前記軸方向へ移動する押圧操作体と、該押圧操作体に連結され、前記軸体内を挿通して前記押圧検知手段を前記押圧操作に伴って押圧する押圧部材とを備えることを特徴とする。
【００４９】
本発明においては、押圧操作を受け付けるための押圧操作体を設ける。これにより、操作装置は更に押圧操作を受け付けることができるため、この操作装置を用いてユーザがより多くの又はより複雑な操作を行うことができる。また、第２の回動操作体に連設される軸体を筒状とし、軸体内を挿通する押圧部材を押圧操作体に連結し、軸体を回動可能に保持する基板などに設けた押圧検知手段を押圧部材にて押圧する構成とする。これにより、第２の回動操作体に設けられた押圧操作体への押圧操作を、基板などに設けられた押圧検知手段が検知できる。よって、操作装置を大型化することなく、操作装置が押圧操作を受け付けることが可能となるため、操作装置の多機能化を実現することができ、操作性を向上することができる。
【００５０】
また、第１３発明に係る操作装置は、前記第２の回動操作体及び前記軸体は筒状をなし、発光体と、前記軸体内を挿通して設けられ、前記発光体が発する光を前記第２の回動操作体内へ導く導光部材と、該導光部材に導かれた光を外部へ透過させる透光部とを備えることを特徴とする。
【００５１】
本発明においては、操作装置内に発光体を設けて透光部から発光体の光を外部へ照射する。これにより、操作装置の一部が発光する視覚的効果をユーザに与えることができる。また、第２の回動操作体及び軸体を筒状とし、軸体を回動可能に保持する基板などに発光体を設け、軸体内を挿通する導光部材により発光体から第２の回動操作体内へ光を導く構成とする。これにより、第２の回動操作体と発光体とが離れている場合であっても、発光体の光を確実に第２の回動操作体内へ導くことができる。第２の回動操作体又はこの近傍に透光部を設けることで導光部材を介して得られる光を外部へ照射することができる。更に、第１の回動操作体に透光部を設け、第２の回動操作体の透光部から第１の回動操作体へ光を導くことで、第１の回動操作体の透光部から外部へ光を照射することができる。よって、操作装置が発光する視覚的効果をユーザに与えることができるため、操作装置の美観を高めることができると共に、夜間などにおける操作装置の操作性を高めることができる。
【００５２】
また、第１４発明に係る操作装置は、前記第１の回動操作体が揺動可能に支持されており、前記第１の回動操作体の揺動を検知する揺動検知手段を備えることを特徴とする。
【００５３】
本発明においては、第１の回動操作体を揺動可能に支持する。操作装置には第１の回動操作体の揺動を検知する手段を設けて、第１の回動操作体に対する揺動操作の受け付けを行う。これにより、ユーザは第１の回動操作体を回動操作するのみでなく、揺動操作することができ、１つの操作体で複数種の操作を受け付けることが可能となる。よって、操作装置の更なる多機能化を実現でき、操作装置の操作性及び利便性等を向上することができる。
【００５４】
また、第１５発明に係る操作装置は、前記第２の回動操作体又は前記軸体は中空であり、中空の前記第２の回動操作体又は前記軸体に同軸に内設され、回動不能に固定された固定軸と、前記第２の回動操作体又は前記軸体、及び前記固定軸の間に挟装された波状の環体とを備え、前記環体により前記第２の回動操作体に操作負荷を付与してあることを特徴とする。
【００５５】
本発明においては、第２の回動操作体又は軸体を中空とし、この内部に回動不能に固定された固定軸を配設する。また、第２の回転操作体又は軸体と固定軸との間に波状の環体を挟装する。波状の環体を挟装することによって、第２の回転操作体又は軸体が固定軸から離隔する方向へ付勢されるため、操作負荷を付与することが可能である。環体の波の高さを適切に設定することによって、第２の回転操作体を操作するユーザに対して適度な操作負荷を与えることができ、操作装置の操作感を向上することができる。
【００５６】
また、第１６発明に係る操作システムは、上述のいずれか１つの操作装置を複数備える操作システムであって、各操作装置の前記第２の回動操作体に異なる操作負荷をそれぞれ付与してあることを特徴とする。
【００５７】
本発明においては、上述の操作装置を複数備えて、より多くの機能の操作を行う。また、各操作装置の第２の回動操作体に異なる操作負荷を付与する。これにより、複数の第２の回動操作体が並べて配設されている場合であっても、ユーザは操作負荷を基にいずれの第２の回動操作体を操作しているかを容易に判断することが可能となる。よって、ユーザは複数の第２の回動操作体を目視して確認することなく、所望の第２の回動操作体を操作することができる。よって、複数の操作装置を備える操作システムの操作性及び利便性を高めることができる。
【００５８】
また、第１７発明に係る操作システムは、前記第２の回動操作体又は前記軸体が中空であり、前記操作装置は、中空の前記第２の回動操作体又は前記軸体に同軸に内設され、回動不能に固定された固定軸と、前記第２の回動操作体又は前記軸体、及び前記固定軸の間に挟装され、前記操作負荷を付与する波状の環体とを有し、各操作装置の前記環体は高さの異なる波状にしてあることを特徴とする。
【００５９】
本発明においては、第２の回動操作体又は軸体を中空とし、この内部に回動不能に固定された固定軸を配設する。また、第２の回転操作体又は軸体と固定軸との間に波状の環体を挟装する。波状の環体を挟装することによって、第２の回転操作体又は軸体が固定軸から離隔する方向へ付勢されるため、操作負荷を付与することが可能である。また、各操作装置にそれぞれ備えられる環体を異なる高さの波状とすることによって、容易且つ安価な構成で、各操作装置の第２の回転操作体に異なる操作負荷を付与することができる。
【発明の効果】
【００６０】
本発明による場合は、同軸に配された第１の回動操作体及び第２の回動操作体を備える構成とすることにより、操作装置を小型化することができるため、車輌のインストルメントパネルなどの小さなスペースに操作装置を配設することができる。また、第１の回動体に対する回動操作に伴って、第２の回動操作体を操作する際に生じるクリック感を変更することができる構成とすることにより、第２の回動操作体に対する回動操作の操作性を高めることができるため、操作装置の利便性を高めることができる。
【発明を実施するための最良の形態】
【００６１】
（実施の形態１）
以下、本発明をその実施の形態を示す図面に基づき具体的に説明する。図１は、本発明の実施の形態１に係る操作装置の構成を示す三面図であり、（ａ）に平面視を示し、（ｂ）の側面視を示し、（ｃ）に後面視を示してある。図２は、本発明の実施の形態１に係る操作装置の内部構成を示す断面図であり、図１（ｃ）と同じ後面視で左半分の一部を破断して内部構成を図示したものである。図３及び図４は、本発明の実施の形態１に係る操作装置の構成を示す側面図であり、図１（ｂ）と同じ側面視で操作装置を構成する部品を（ａ）から（ｄ）へ順に外した状態を図示したものである。本実施の形態に係る操作装置は、例えば車輌の運転席周辺のインストルメントパネルに配されて、エアコン又はオーディオ装置等の操作を行うためのものである。
【００６２】
図において１は車輌のインストルメントパネルの外装部分であり、本実施の形態に係る操作装置は外装部分１上にモード切替スイッチ１０及びダイヤルスイッチ２０が積層して配設された外観をなしている。モード切替スイッチ１０は平面視で略卵形の板状をなしており、外装部分１上に配され、約６０°程度の範囲内でユーザが回動操作することができるようにしてある。ダイヤルスイッチ２０は円筒状をなしており、モード切替スイッチ１０の上側に配され、回転不可能に固定された固定軸３０の周囲を時計回り及び反時計回りに３６０°又はそれ以上の範囲でユーザが回動操作することができるようにしてある。なお、ダイヤルスイッチ２０の回動軸とモード切替スイッチ１０の回動軸とは一致するようにしてあり、回動軸は固定軸３０の中心軸に一致するようにしてある。
【００６３】
外装部分１には３つのモードマーク２〜４が描かれており、モード切替スイッチ１０の先細の先端部分１０ａが３つのモードマーク２〜４のいずれかを指し示すようにモード切替スイッチ１０を回動操作することにより、モードを切り替えることができるようにしてある。例えば操作装置がエアコンを操作するためのものである場合、モードマーク２として"風向"の文字列を付し、モードマーク３として"風量"の文字列を付し、モードマーク４として"温度"の文字列を付しておく。モード切替スイッチ１０の先端部分１０ａが"風向"を指し示すように回動させた場合には、操作装置は風向調整モードとなり、ユーザはダイヤルスイッチ２０を回動操作することによってエアコンの風向を調整することができる。他のモードも同様である。
【００６４】
本実施の形態に係る操作装置のモード切替スイッチ１０、ダイヤルスイッチ２０、固定軸３０及びその他の部品は、基板５０上に組み立てられて配設されている。基板５０には、ダイヤルスイッチ２０の回動を検知するロータリエンコーダ５１と、モード切替スイッチ１０の回動によるモードの切り替えを検知する切替検知素子５２とがその他の電気部品（図示は省略する）と共に配設してある。基板５０にはロータリエンコーダ５１、切替検知素子５２及びその他の電気分により電気回路が構成されて、操作装置に与えられたユーザの操作を電気信号に変換して種々の処理を行うことができるようにしてある。
【００６５】
ロータリエンコーダ５１は、円筒状をなしており、基板５０にネジ止め及びはんだ付け等で機械的且つ電気的に固定接続してある。固定軸３０は、径の大きい円板部３１と径の小さい円柱部３２とが同軸に連結された態様をなしており、円板部３１側の一端が外部に露出すると共に、円柱部３２側の他端がロータリエンコーダ５１の筒内を通して基板５０に固定してある。ただし、ロータリエンコーダ５１は回転を検知するための円筒状の回転子５１ａを有しているが、固定軸３０の円柱部３２が回転子５１ａの内周面に接触しないようにしてあり、円柱部３２が回転子５１ａの回転を妨げることがないようにしてある。
【００６６】
ダイヤルスイッチ２０は、ユーザが触れて操作を行うために外部に露出した操作部２１と、ロータリエンコーダ５１の回転子５１ａに操作部２１を連結するための連結部２２とを備えている。操作部２１及び連結部２２は別部品として製造され、組み立てられて１つのダイヤルスイッチ２０をなすようにしてある。操作部２１は、径の大きい部分２１ａ及び径の小さい部分２１ｂを有しており、径の大きい部分２１ａは固定軸３０の円板部３１の径より若干大きい内径にしてあり、径の小さい部分２１ｂは固定軸３０の円柱部３２の径より若干大きい内径にしてある。また、操作部２１の径の小さい部分２１ｂの長さは、固定軸３０の円柱部３２の長さより短い。よって、操作部２１の径の大きい部分２１ａに固定軸３０の円板部３１を収容した状態で、操作部２１の径の小さい部分２１ｂを固定軸３０の円柱部３２が挿通することができるようにしてある。
【００６７】
連結部２２は固定軸３０の円柱部３２の径より若干大きい内径を有する筒体であり、連結部２２の一端を操作部２１の径の小さい部分２１ｂに内嵌して固定することができるようにしてある。このため、連結部２２の一端側の外周面には係合爪２２ａが設けてあり、操作部２１の径の小さい部分２１ｂの内周面には係合爪２２ａに係合する凹部が形成してある。また、連結部２２の他端は、ロータリエンコーダ５１の回転子５１ａに外嵌して固定することができる形状にしてある。よって、連結部２２の一端に操作部２１を固定し、他端にロータリエンコーダ５１の回転子５１ａを固定した状態では、ユーザによる操作部２１の回動操作に伴って回転子５１ａが回動し、ロータリエンコーダ５１が操作部２１の回動を検知することができる。また、固定軸３０は、ダイヤルスイッチ２０の操作部２１及び連結部２２を挿通し、ロータリエンコーダ５１を挿通して基板５０に固定してある。
【００６８】
また、ダイヤルスイッチ２０の連結部２２には、円環状をなす金属製のばね部材４０が外嵌して固定してある。連結部２２の軸方向に関してばね部材４０の長さは連結部２２の長さより十分に小さい。連結部２２におけるばね部材４０の固定位置は、ダイヤルスイッチ２０の操作部２１に内嵌する一端部分と、ロータリエンコーダ５１に外嵌する他端部分との間の位置にしてある。ばね部材４０は、連結部に外嵌する円環部４１と、円環部４１の外周からラジアル方向へ突出するように形成された板ばね部４２とを有している。なお、図中では板ばね部４２を１つのみ図示してあるが、実際にはばね部材４０は２つの板ばね部４２を有しており、２つの板ばね部４２は円環部４１の中心から反対の位置にそれぞれ形成してある。板ばね部４２は、金属製の円環部４１の一部を金属加工により外側へ突出させたものであり、円環部４１の外側へ向けて付勢されている。
【００６９】
また、実施の形態１に係る操作装置は、ダイヤルスイッチ２０の連結部２２が挿通可能な円筒状をなすクリック数変更部材６０を備えている。図５は、本発明の実施の形態１に係る操作装置のクリック数変更部材６０の構成を示す模式的斜視図である。クリック数変更部材６０は、円筒部６１と、円筒部６１の外周面からラジアル方向に突出して設けられた２つの支軸部６４とを有している。円筒部６１の内周面には、軸方向の略中央を境界として、一側に第１クリック面６２が形成してあり、他側に第２クリック面６３が形成してある。
【００７０】
第１クリック面６２及び第２クリック面６３は円筒部６１の内周の周方向に所定間隔で凹部又は凸部が複数形成されたものであり、この凹部又は凸部が上述のばね部材４０に形成された板ばね部４２に係合する形状にしてある。例えば、第１クリック面６２には３６個の凹部又は凸部が形成してあり、第２クリック面６３には１８個の凹部又は凸部が形成してある。また、円筒部６１の軸方向に関して、第１クリック面６２及び第２クリック面６３の長さは、ばね部材４０の板ばね部４２の長さより十分に長くしてあり、板ばね部４２が第１クリック面６２又は第２クリック面６３のいずれか一方にのみ係合されることができるようにしてある。
【００７１】
また、クリック数変更部材６０の円筒部６１の内径は、ダイヤルスイッチ２０の連結部２２の径より若干大きい程度にしてあり、ばね部材４０が固定された連結部２２を円筒部６１に挿通した場合、ばね部材４０の両側に形成された２つの板ばね部４２が円筒部６１の第１クリック面６２又は第２クリック面６３に係合されるようにしてある。この状態でクリック数変更部材６０を回転不能に固定することによって、ダイヤルスイッチ２０を回動操作して連結部２２を回動させた場合、連結部２２に固定されたばね部材４０の板ばね部４２が、クリック数変更部材６０の周方向に並べられた第１クリック面６２又は第２クリック面６３の複数の凹部又は凸部に回動に伴って順に係合され、クリック感を生じさせることができる。なお、クリック感とは、板ばね部４２とクリック面の凹部又は凸部との係合に伴って生じる「カチ、カチ」という音、及びこのときに生じる振動等を含むものである。
【００７２】
更に、第１クリック面６２の凹部又は凸部の数と第２クリック面６３の凹部又は凸部の数とが異なる構成であるため、ばね部材４０の板ばね部４２を係合させるクリック面を変更することによって、ダイヤルスイッチ２０を回動操作したときのクリック感の発生頻度を変更することができる。ばね部材４０の板ばね部４２を係合させるクリック面の変更は、第１クリック面６２及び第２クリック面６３が円筒部６１の内周面に軸方向に並べて配してあるため、ダイヤルスイッチ２０の連結部２２が挿入されたクリック数変更部材６０を軸方向に移動させることによって行うことが可能である。
【００７３】
クリック数変更部材６０の円筒部６１の外周面には、円筒部６１の軸を中心に反対方向へ突出して丸棒状の２つの支軸部６４が設けてある。また、本実施の形態に係る操作装置は、クリック数変更部材６０及びモード変更スイッチ１０等を支持するためのベース筒７０を備えている。ベース筒７０は円筒状をなし、ダイヤルスイッチ２０の連結部２２、クリック数変更部材６０の円筒部６１、及びロータリエンコーダ５１等を内部に収容することができる大きさ及び形状にしてある。
【００７４】
ベース筒７０は、一端側には軸方向に長い２つの切り欠き７１（ただし、図面中には１つのみ図示してある）が形成してあり、他端側にて基板５０に不動に固定してある。一端側の２つの切り欠き７１は、ベース筒７０の軸心を間にして反対側にそれぞれ形成してある。切り欠き７１の幅は、クリック数変更部材６０の支軸部６４の径に略等しいか又は若干大きくしてあり、支軸部６４を切り欠き７１内に挿入することができるようにしてあると共に、ベース筒７０の軸方向に切り欠き７１内を支軸部６４が移動することができるようにしてある。
【００７５】
また、ベース筒７０の一端側の内径はクリック数変更部材６０の外径より若干大きい程度であり、外径はクリック数変更部材６０の中心から支軸部６４の突出端までの距離より十分に小さくしてある。ダイヤルスイッチ２０の連結部２２に挿通されたクリック数変更部材６０の２つの支軸部６４をベース筒７０の２つの切り欠き７１に挿入することによって、クリック数変更部材６０は、切り欠き７１に沿って軸方向に移動可能に、且つ、回動不可能にベース筒７０に支持される。この状態では、クリック数変更部材６０の２つの支軸部６４は、切り欠き７１を挿通してベース筒７０の外側へ突出した状態である。
【００７６】
また、ベース筒７０の基板５０に固定される他端側には、１つの切り欠き７２が形成してある。基板５０にネジ止め及びはんだ付け等で固定される切替検知素子５２は、基板５０に固定されたベース筒７０の切り欠き７２に収まるように配設してある。切替検知素子５２は、略矩形の板状をなす本体部に揺動可能に支持された棒状の検知軸５２ａを有している。切替検知素子５２は、本体部に内蔵されたばねなどの部材により検知軸５２ａが付勢される基準位置と、この基準位置を中心に検知軸５２ａを揺動させた場合の両側の最端位置との３つの位置のうち、検知軸５２ａがいずれの位置であるかを検知することにより、切り替えの検知を行うようにしてある。
【００７７】
モード切替スイッチ１０は、略卵形の板状をなしてユーザが触れて回動操作を行うための操作部１１と、この操作部１１の下面に連設された円筒部１２とを有している。操作部１１には、ダイヤルスイッチ２０の操作部２１の径の小さい部分２１ｂが挿通可能な大きさであり、モード切替スイッチ１０の回動軸に中心が略一致する略円形の貫通孔が形成してある。また、円筒部１２は、操作部１１の貫通孔の中心に軸心が略一致するように操作部１１に連設してあると共に、内径がベース筒７０の一端側の外径に略等しくしてあり、モード切替スイッチ１０の円筒部１１がベース筒７０に外嵌するようにしてある。
【００７８】
モード切替スイッチ１０の円筒部１２の端部には、略矩形の切り欠き１３が形成してあり、円筒部１２を基板５０に固定されたベース筒７０に外嵌させた場合には、基板５０に設けられた切替検知素子５２の検知軸５２ａが円筒部１２の切り欠き１３内に収まるようにしてある。これにより、モード切替スイッチ１０の操作部１１をユーザが回動操作したとき、操作部１１と共に円筒部１２が回動し、円筒部１２が切替検知素子５２の検知軸５２ａに接触して揺動させるようにしてあり、切替検知素子５２がモード切替スイッチ１０によるモードの切り替えを検知するようにしてある。
【００７９】
モード切替スイッチ１０の円筒部１２の端部には、円筒部１２の軸方向に長い切り欠き１４が形成してあると共に、円筒部１２の軸方向の略中央には、切り欠き１４に連通して円筒部１２の周方向に長い長穴状の案内溝１５が形成してある。ただし、長穴状の案内溝１５は、一端部１５ａから中央部１５ｂまでの部分が円筒部１２の周方向に沿うように形成してあるが、略中央で若干折り曲げられており、中央部１５ｂから他端部１５ｃまでの部分は軸方向に操作部１１側へ徐々に変位するように形成してある。また、切り欠き１４及び案内溝１５は、円筒部１２の軸心を間にして両側にそれぞれ形成してあり、２つの案内溝１５は略同じ形状である。切り欠き１４及び案内溝１５の幅は、クリック数変更部材６０に設けられた支軸部６４の直径に等しいか又は若干大きくしてある。
【００８０】
上述のようにベース筒７０の２つの切り欠き７１にクリック数変更部材６０の２つの支軸部６４が支持された状態では、２つの支軸部６４がベース筒７０の切り欠き７１を挿通して外部に突出する。この状態にてモード切替スイッチ１０の円筒部１２をベース筒７０に外嵌させる場合には、ベース筒７０から突出する２つの支軸部６４を、円筒部１２に形成された２つの切り欠き１４に沿って案内溝１５まで導くことによって、円筒部１２を外嵌させることができる。
【００８１】
また、上述のようにベース筒７０に支持されたクリック数変更部材６０は、ベース筒７０の切り欠き７１に沿って、ベース筒７０の軸方向に移動させることができる。ベース筒７０に円筒部１２が外嵌されたモード切替スイッチ１０をユーザが回動操作した場合、ベース筒７０及びクリック数変更部材６０は回動不能に固定されているためモード切替スイッチ１０のみが回動する。このとき、クリック数変更部材６０の支軸部６４は、モード切替スイッチ１０の円筒部１２に形成された案内溝１５内に挿入されており、円筒部１２の回動に伴って案内溝１５への挿入位置が変化するため、円筒部１２の回動に伴ってベース筒７０の軸方向に移動する。よって、モード切替スイッチ１０の回動によりクリック数変更部材６０を軸方向へ移動させることができ、ダイヤルスイッチ２０に固定されたばね部材４０の板ばね部４２が係合するクリック数変更部材６０のクリック面を変更することができるため、モードに応じたクリック感（クリック数）の変更を行うことができる。
【００８２】
図６は、本発明の実施の形態１に係る操作装置のクリック数の変更を説明するための模式図である。例えば、図示の操作装置の構成においては、まず、モード切替スイッチ１０をモードマーク３の位置（即ち、中央位置）にある場合、クリック数変更部材６０の支軸部６４はモード切替スイッチ１０の円筒部１２に設けられた案内溝１５の中央部１５ｂに位置している。このとき、クリック数変更部材６０は軸方向の移動範囲の下側（軸方向の基板５０側を下側とし、ダイヤルスイッチ２０の操作部２１側を上側とする）に位置し、ダイヤルスイッチ２０の連結部２２に固定されたばね部材４０の板ばね部４２は、クリック数変更部材６０の円筒部６１の内周面に形成された２つのクリック面のうち、上側の第１クリック面６２に係合される。第１クリック面６２には３６個の凹部又は凸部が円筒部６１の周方向に等間隔で形成してあるため、ユーザがダイヤルスイッチ２０を回動操作した場合には、１周当たり３６回のクリック感が生じる（図６（ａ）参照）。
【００８３】
モード切替スイッチ１０を反時計回りにモードマーク４の位置へ回動操作した場合、モード切替スイッチ１０に設けられた円筒部１２は、クリック数変更部材６０の支軸部６４が案内溝１５の一端部１５ａに挿入される位置へ回動する。案内溝１５の一端部１５ａ及び中央部１５ｂは、円筒部１２の軸方向に関して等しい位置に設けてあるため、クリック数変更部材６０は移動せず、ばね部材４０の板ばね部４２は第１クリック面６２に係合される。
【００８４】
モード切替スイッチ１０を時計回りにモードマーク２の位置へ回動操作した場合、モード切替スイッチ１０に設けられた円筒部１２は、クリック数変更部材６０の支軸部６４が案内溝１５の他端部１５ｂに挿入される位置へ回動する。案内溝１５は中央部１５ｂにて折り曲げられて他端部１５ｃが上側となるように軸方向に徐々に変位する形状である。案内溝１５の他端部１５ｃは、軸方向に関して一端部１５ａ及び中央部１５ｂより上側にあり、円筒部１２の回動に伴って案内溝１５の他端部１５ｃまで支軸部６４が上側に移動する。よって、クリック数変更部材６０はベース筒７０の切り欠き７１に沿って上側へ移動し、ばね部材４０の板ばね部４２は、クリック数変更部材６０の内周面の下側に形成された第２クリック面６３に係合される。第２クリック面６３には１８個の凹部又は凸部が円筒部６１の周方向に等間隔で形成してあるため、ユーザがダイヤルスイッチ２０を回動操作した場合には、１周当たり１８回のクリック感が生じる（図６（ｂ）参照）。
【００８５】
以上の構成の操作装置においては、モード切替スイッチ１０とダイヤルスイッチ２０とが同軸に積み重ねて配する構成とすることにより、操作装置を小型化することができるため、車輌のインストルメントパネルなどの限られたスペースに容易に配設することができる。また、モード切替スイッチ１０によりモードを切り替えてダイヤルスイッチ２０にて各モードの設定又は調整等の操作を行う構成とすることにより、１つの操作装置で複数の機能の操作を行うことができる。また、ダイヤルスイッチ２０に設けられたばね部材４０とクリック数変更部材６０の内周面に形成されたクリック面との係合によりクリック感を生じさせると共に、クリック数変更部材６０の内周面に複数のクリック面を形成し、モード切替スイッチ１０の回動に伴ってクリック数変更部材６０を軸方向に移動させる構成とすることにより、モード切替スイッチ１０の回動によりばね部材４０が係合されるクリック面を変更することができるため、ダイヤルスイッチ２０の回動に伴ってモード毎に異なるクリック感を生じさせることが簡単且つ確実にできる。また、ダイヤルスイッチ２０の回動を検知するロータリエンコーダ５１をダイヤルスイッチ２０と同軸に基板５０上に配設する構成とすることにより、操作装置を小型化することができる。
【００８６】
なお、本実施の形態においては、モード切替スイッチ１０により３つのモードに変更することができる構成としたが、これに限るものではなく、２つのモード又は４つ以上のモードに変更することができる構成としてもよい。また、３つのモードのうち２つのモードについてはダイヤルスイッチ２０の１回転につき３６回のクリック感を生じさせ、１つのモードについては１回転につき１８回のクリック感を生じさせる構成としたが、これに限るものではない。ダイヤルスイッチ２０の１回転でのクリック感の発生数（クリック数）は任意であってよく、クリック数変更部材６０の円筒部６１の内周に設けられるクリック面の形状（凹部又は凸部の数）を変更するのみで容易にクリック数を設定することができる。また、３段階以上にクリック数を変更する場合には、クリック数変更部材６０の円筒部６１に３つ以上のクリック面を軸方向に並設すると共に、モード切替スイッチ１０の案内溝１５の形状を適宜に変更すればよい。
【００８７】
（実施の形態２）
実施の形態１に係る操作装置は、モード切替スイッチ１０の回動に伴って軸方向に移動するクリック数変更部材６０に複数のクリック面を設け、これに係合されるばね部材４０をダイヤルスイッチ２０に設ける構成である。これに対して、実施の形態２に係る操作装置は、ダイヤルスイッチ２０に複数のクリック面を設け、これに係合される弾性の被係合部をモード切替スイッチ１０の回動に伴って軸方向に移動する構成である。図７は、本発明の実施の形態２に係る操作装置の内部構成を示す断面図である。また、図８は、本発明の実施の形態２に係る操作装置のクリック数の変更を説明するための模式図である。
【００８８】
実施の形態２に係る操作装置は、ダイヤルスイッチ２０の連結部２２に外嵌する円筒状のクリック数変更部材２６０を備えている。クリック数変更部材２６０は、連結部２２に固定されてダイヤルスイッチ２０の回動に伴って回動するようにしてある。また、クリック数変更部材２６０の外周面には、軸方向の略中央を境界として、一側に第１クリック面２６１が形成してあり、他側に第２クリック面２６２が形成してある。第１クリック面２６１及び第２クリック面２６２は周方向に所定の間隔で凹部又は凸部が複数形成されたものであり、第１クリック面２６１及び第２クリック面２６２の境界には突起部２６３がクリック数変更部材２６０の一周に亘って形成してある。
【００８９】
また、ベース筒７０には、切り欠き７１内をベース筒７０の軸方向に移動可能に、円柱状の被係合部材２４０が保持されている。被係合部材２４０は、本体部分をなす円柱部２４１と、この円柱部２４１の一端面から突出し、ばねなどの弾性部材によりクリック数変更部材２６０のクリック面へ付勢されて係合される球体２４２とを有している。球体２４２は、円柱部２４１の一端面に形成された収容穴（図示は省略する）に出没可能に収容されると共に、収容穴内に設けられた弾性部材により収容穴外へ向けて付勢されている。また、円柱部２４１の他端はベース筒７０の外側へ突出するようにしてあり、モード切替スイッチ１０の円筒部１２に形成された案内溝１５に挿入される。これにより、被係合部材２４０は、モード切替スイッチ１０の回動に伴って案内溝１５への挿入位置が変更され、ベース筒７０の切り欠き７１に沿ってベース筒７０の軸方向へ移動する。
【００９０】
例えば、図示の操作装置の構成においては、まず、モード切替スイッチ１０をモードマーク３の位置（即ち、中央位置）にある場合、被係合部材２４０の円柱部２４１はモード切替スイッチ１０の円筒部１２に設けられた案内溝１５の中央部１５ｂに位置している。このとき、被係合部材２４０は軸方向の移動範囲の下側に位置し、ダイヤルスイッチ２０の連結部２２に固定されたクリック数変更部材２６０の第１クリック面２６１に係合される。第１クリック面２６１には３６個の凹部又は凸部が形成してあり、ユーザがダイヤルスイッチ２０を回動操作した場合には、１回転につき３６回のクリック感が生じる（図８（ｂ）参照）。
【００９１】
次いで、モード切替スイッチ１０を反時計回りにモードマーク４の位置へ回動操作した場合、モード切替スイッチ１０に設けられた円筒部１２は、被係合部材２４０の円柱部２４１が案内溝１５の一端部１５ａに挿入される位置へ回動される。案内溝１５の一端部１５ａ及び中央部１５ｂは、円筒部１２の軸方向に関して等しい位置に設けてあるため、被係合部材２４０は移動せず、第１クリック面２６１に係合される。
【００９２】
更に、モード切替スイッチ１０を時計回りにモードマーク２の位置へ回動操作した場合、モード切替スイッチ１０に設けられた円筒部１２は、被係合部材２４０の円柱部２４１が案内溝１５の他端部１５ｃに挿入される位置へ回動する。案内溝１５は中央部１５ｂにて折り曲げられて他端部１５ｃが上側となるように軸方向に徐々に変位する形状であるため、円筒部１２の回動に伴って案内溝１５に沿って被係合部材２４０の円柱部２４１がベース筒７０の軸方向へ移動する。このとき、被係合部材２４０の球体２４２はクリック数変更部材２６０の突起部２６３に接触して係合されるため、クリック感が生じる。その後、被係合部２４０の球体２４２は第２クリック面２６２に係合される。第２クリック面２６２には１８個の凹部又は凸部が形成してあり、ユーザがダイヤルスイッチ２０を回動操作した場合には、１回転につき１８回のクリック感が生じる（図８（ａ）参照）。
【００９３】
以上の構成の実施の形態２に係る操作装置は、実施の形態１に係る操作装置と同様の作用及び効果を有しており、モード切替スイッチ１０を回動操作してモードの切り替えを行った場合に、ダイヤルスイッチ２０の回動操作により生じるクリック感の変更を行うことができる。また、クリック数変更部材２６０の第１クリック面２６１及び第２クリック面２６２の境界部分に突起部２６３を設ける構成とすることにより、モード切替スイッチ１０が回動操作された場合にもクリック感を生じさせることができる。
【００９４】
なお、実施の形態２においては、モード切替スイッチ１０により３つのモードに変更することができる構成としたが、これに限るものではなく、２つのモード又は４つ以上のモードに変更することができる構成としてもよい。また、ダイヤルスイッチ２０の１回転でのクリック感の発生数（クリック数）は任意であってよく、クリック数変更部材２６０の外周に設けられるクリック面の形状（凹部又は凸部の数）を変更するのみで容易にクリック数を設定することができる。また、３段階以上にクリック数を変更する場合には、クリック数変更部材２６０の外周面に３つ以上のクリック面を軸方向に並設すると共に、モード切替スイッチ１０の案内溝１５の形状を適宜に変更すればよい。また、第１クリック面２６１及び第２クリック面２６２の間に突起部２６３を設ける構成としたが、モード切替スイッチ１０の回動操作に伴ってクリック感を発生させる必要がない場合には、突起部２６３を設けない構成としてもよい。
【００９５】
なお、実施の形態２に係る操作装置のその他の構成は、実施の形態１に係る操作装置の構成と同様であるため、同様の箇所には同じ符号を付して詳細な説明を省略する。
【００９６】
（実施の形態３）
図９は、本発明の実施の形態３に係る操作装置の内部構成を示す断面図である。また、図１０は、本発明の実施の形態３に係る操作装置のクリック数の変更を説明するための模式図である。実施の形態２に係る操作装置は、ダイヤルスイッチ２０の連結部２２に別部材のクリック数変更部材２６０を固定する構成であるが、実施の形態３に係る操作装置は、ダイヤルスイッチ２０の連結部４２２の外周面に第１クリック面４６１及び第２クリック面４６２を形成した構成である。また、実施の形態２に係る操作装置は、第１クリック面２６１又は第２クリック面２６２に係合される円柱状の被係合部材２４０を備える構成であるが、実施の形態３に係る操作装置は円筒状（又は円環状）の被係合部材４４０を備える構成である。図１１は、本発明の実施の形態３に係る操作装置の連結部４２２及び被係合部材４４０の構成を示す斜視図である。また、図１２は、本発明の実施の形態３に係る操作装置の連結部４２２の構成を示す側面図である。
【００９７】
実施の形態３に係る操作装置が備えるダイヤルスイッチ２０の連結部４２２の外周面には、一周に亘って複数の凹部又は凸部が所定の間隔でそれぞれ並設された第１クリック面４６１及び第２クリック面４６２が形成してある。第１クリック面４６１の凹部又は凸部の数は、第２クリック面４６２の凹部又は凸部の数より多く、第１クリック面４６１及び第２クリック面４６２は連結部４２２の軸方向に並べて形成してある。連結部４２２と、第１クリック面４６１及び第２クリック面４６２とは、合成樹脂による一体成型などで一体的に形成してある。図９及び図１１においては、第１クリック面４６１を上側に、第２クリック面４６２を下側に設けた構成を図示してある。
【００９８】
また、実施の形態３に係る操作装置の被係合部材４４０は、円筒部４４１と、円筒部４４１の外周面からラジアル方向に突出して設けられた２つの支軸部４４２とを有している。２つの支軸部４４２は、円筒部４４１の外周面のそれぞれ反対位置に設けてある。被係合部材４４０の円筒部４４１の外径は、ベース筒７０の内径より若干小さくしてあり、被係合部材４４０の支軸部４４２はベース筒７０に形成された切り欠き７１に挿入することができる大きさ及び形状にしてある。よって、被係合部材４４０の円筒部４４１をベース筒７０に挿入し、支軸部４４２を切り欠き７１に挿入することによって、被係合部材４４０を切り欠き７１に沿って移動可能にベース筒７０内に収容することができる。
【００９９】
また、被係合部材４４０の支軸部４４２は、モード切替スイッチ１０の円筒部１２に形成された切り欠き１４及び案内溝１５に挿入することができるようにしてある。案内溝１５に挿入された支軸部４４２は、モード切替スイッチ１０の回動により挿入位置が変位し、これに伴ってベース筒７０の切り欠き７１内を軸方向に変位する。よって、モード切替スイッチ１０の回動に伴って被係合部材４４０は軸方向に移動する。
【０１００】
また、被係合部材４４０の円筒部４４１の内周面には、円柱状の部材を収容可能な有底の収容穴部４４３が形成してある。収容穴部４４３には、一端側が閉塞された円筒状をなす被係合部４４４と、収容穴部４４３の底面及び被係合部４４４の間に介装されるコイルバネ４４５とを収容するようにしてある。被係合部４４４は一端面が円錐状に突起させてあり、この端面が円筒部４４１の中心へ向かうように、収容穴部４４３に収容されたコイルバネ４４５が被係合部４４４を付勢するようにしてある。
【０１０１】
被係合部材４４０の円筒部４４１の内径は、連結部４２２の第１クリック面４６１及び第２クリック面４６２が形成された部分の外径より若干大きい程度にしてあり、連結部４２２を円筒部４４１に挿通した場合、コイルバネ４４５により付勢された被係合部４４４が第１クリック面４６１又は第２クリック面４６２に係合されるようにしてある。上述のように被係合部材４４０は、モード切替スイッチ１０の回動に伴って軸方向へ移動し、この移動に伴って被係合部４４４が第１クリック面４６１又は第２クリック面４６２のいずれかに係合されるようにしてある。
【０１０２】
例えば、モード切替スイッチ１０がモードマーク３の位置（即ち、中央位置）にある場合、被係合部材４４０の支軸部４４２は案内溝１５の中央部１５ｂに位置している。このとき、被係合部材４４０は軸方向の移動範囲の下側に位置し、ダイヤルスイッチ２０の連結部４２２に形成された第２クリック面４６２に被係合部材４４０の被係合部４４４が係合される。第２クリック面４６２には１８個の凹部又は凸部が形成してあり、ユーザがダイヤルスイッチ２０を回動操作した場合には、１回転につき１８回のクリック感が生じる（図１０（ｂ）参照）。
【０１０３】
モード切替スイッチ１０を時計回りにモードマーク２の位置へ回動操作した場合、モード切替スイッチ１０の円筒部１２は、被係合部材４４０の支軸部４４２が案内溝１５の他端部１５ｃに挿入される位置へ回動する。案内溝１５は中央部１５ｂにて折り曲げられて他端部１５ｃが上側となるように軸方向に徐々に変異する形状であるため、円筒部１２の回動に伴って案内溝１５に沿って被係合部材４４０の支軸部４４２がベース筒７０の軸方向へ移動する。これにより被係合部材４４０は軸方向の上側へ移動し、被係合部４４４は第１クリック面４６１に係合される。第１クリック面４６１には３６個の凹部又は凸部が形成してあり、ユーザがダイヤルスイッチ２０を回動操作した場合には、１回転につき３６回のクリック感が生じる（図１０（ａ）参照）。
【０１０４】
以上の構成の実施の形態３に係る操作装置は、実施の形態２に係る操作装置と同様の作用及び効果を有しており、モード切替スイッチ１０を回動操作してモードの切り替えを行った場合に、ダイヤルスイッチ２０の回動操作により生じるクリック感の変更を行うことができる。また、第１クリック面４６１及び第２クリック面４６２をダイヤルスイッチ２０の連結部４２２に一体的に形成することによって、操作装置の部品数を削減することができ、操作装置の製造コスト及び組立コスト等を削減することができる。また、被係合部材４４０を円筒状とし、２つの支軸部４４２をベース筒７０の切り欠き７１に挿入する構成とすることにより、被係合部材４４０を安定して支持することができると共に、被係合部材４４０の移動を円滑に行うことができる。
【０１０５】
なお、実施の形態３に係る操作装置のその他の構成は、実施の形態２に係る操作装置の構成と同様であるため、同様の箇所には同じ符号を付して詳細な説明を省略する。
【０１０６】
（実施の形態４）
図１３は、本発明の実施の形態４に係る操作システムの構成を示す平面図である。また、図１４は、本発明の実施の形態４に係る操作装置の内部構成を示す断面図である。実施の形態４に係る操作システムは３つの操作装置３００を備える構成である。３つの操作装置３００は、実施の形態１に係る操作装置と同様の構成であるが、ダイヤルスイッチ２０の回動操作に対する操作負荷が付してある点が異なる。また、３つの操作装置３００には、それぞれ異なる大きさの操作負荷が付してある。
【０１０７】
実施の形態４に係る操作装置３００は、モード切替スイッチ１０及びダイヤルスイッチ２０の回転の中心位置に不動に固定される固定軸３３０が、別部品として製造された円板部３３１及び円柱部３３２をネジの螺合により固定する構成にしてある。このため、円板部３３１には雌ネジ部が形成され、円柱部３３２には雄ネジ部が形成してある。
【０１０８】
また、操作装置３００は、固定軸３３０とダイヤルスイッチ２０との間に挟装されるウェーブワッシャー３８０を備えている。図１５は、本発明の実施の形態４に係る操作装置３００のウェーブワッシャー３８０の構成例を示す模式図であり、（ａ）に斜視図を示し、（ｂ）及び（ｃ）にウェーブワッシャー３８０の異なる構成例の側断面図をそれぞれ示してある。ウェーブワッシャー３８０は、円環状をなす金属製の板体であり、中央に固定軸３３０の円柱部３３２が挿通可能な貫通孔３８１が形成してある。また、ウェーブワッシャー３８０は波状に撓ませてあると共に、３つの操作装置３００には撓ませ度合がそれぞれ異なる、即ち並みの高さがそれぞれ異なるウェーブワッシャー３８０が備えられている。
【０１０９】
ウェーブワッシャー３８０は、固定軸３３０の円板部３３１の雌ネジ部が設けられた面と、ダイヤルスイッチ２０の操作部２１の対向する面との間に挟装されている。これにより、ウェーブワッシャー３８０が押圧されて変形し、復元力が生じる。ウェーブワッシャー３８０の復元力により固定軸３３０とダイヤルスイッチ２０とが隔離する方向へ付勢され、この付勢がユーザの回動操作に対する操作負荷となるようにしてある。
【０１１０】
以上の構成により、各操作装置３００には、ダイヤルスイッチ２０の回動操作に対して、ウェーブワッシャー３８０によって用意に操作負荷を付与することができる。また、操作システムの３つの操作装置３００がそれぞれ高さの異なるウェーブワッシャー３８０を備える構成とすることにより、各操作装置３００に容易に異なる大きさの操作負荷を付与することができる。よって、ユーザは操作負荷を基に３つの操作装置３００のいずれを回動操作しているかを、操作システムを目視する事なく認識することができる。
【０１１１】
なお、実施の形態４に係る操作システムにおいては、実施の形態１に係る操作装置と同様の構成の操作装置３００を複数備える構成としたが、これに限るものではなく、実施の形態２に係る操作装置と同様の構成の操作装置を複数備える構成としてもよい。また、実施の形態１に係る操作装置と実施の形態２に係る操作装置とが混在する構成としてもよい。
【０１１２】
また、実施の形態４に係る操作装置のその他の構成は、実施の形態１に係る操作装置の構成と同様であるため、同様の箇所には同じ符号を付して詳細な説明を省略する。
【０１１３】
（実施の形態５）
実施の形態５に係る操作装置は、実施の形態１〜４に係る操作装置の構成に以下の変更又は追加を行ったものである。
（１）モード切替スイッチの回動位置（モードの切り替え）の検知を、切替検知素子５２を用いる方法からフォトインタラプタを用いる方法に変更。また、モード切替スイッチによるモードの切り替えを３段階から５段階に変更。
（２）ダイヤルスイッチの回動の検知を、ロータリエンコーダ５１を用いる方法からフォトインタラプタを用いる方法に変更。
（３）押下（押圧）式のスイッチを追加。
（４）スイッチを発光させる機構の追加。
（５）モード切替スイッチを揺動できる機構の追加。
【０１１４】
図１６は、実施の形態５に係る操作装置５００の構成を示す斜視図である。図１７は、実施の形態５に係る操作装置５００の構成を示す三面図であり、（ａ）に上面視を示し、（ｂ）に前面視を示し、（ｃ）に右側面視を示してある。図１８は、実施の形態５に係る操作装置５００の内部構成を示す三面図であり、筺体を除いた状態の操作装置５００について、（ａ）に上面視を示し、（ｂ）に前面視を示し、（ｃ）に右側面視を示してある。図１９は、実施の形態５に係る操作装置５００の内部構成を示す三面図であり、筺体を除いた状態の操作装置５００について、（ａ）に上面視を示し、（ｂ）に後面視を示し、（ｃ）に左側面視を示してある。図２０は、図１７のＡ−Ａ線による断面図であり、図２１は、図１７のＢ−Ｂ線による断面図である。図２２は、実施の形態５に係る操作装置５００の分解斜視図である。
【０１１５】
実施の形態５に係る操作装置５００は、クリック感を発生させる機構及び電気回路が構成される基板５５０等を収容する略直方体型の筺体５０１を有しており、筺体５０１の上面５０１ａの上にモード切替スイッチ５１０及びダイヤルスイッチ５２０が積層して配された外観をなしている。モード切替スイッチ５１０は、平面視で略卵形の板状をなしており、筺体５０１の上面５０１ａの上に配されている。また、モード切替スイッチ５１０は、左右にそれぞれ約４０°（合わせて約８０°）の範囲内で回動操作することができ、約２０°毎に合計５つの位置（回動位置）にて回動を停止させることができるようにしてある。ただし、モード切替スイッチ５１０の回動操作範囲及び回動位置は、一例であって、これに限るものではない。
【０１１６】
ダイヤルスイッチ５２０は、外周面に滑り止め用の凹凸が複数形成された円筒状をなしており、モード切替スイッチ５１０の上側に配され、回転不可能に基板５５０に固定された固定軸５３０の周囲を時計回り及び反時計回りに３６０°又はそれ以上の範囲で回動操作できるようにしてある。固定軸５３０の上面は略円形を成しており、その略中心にはユーザによる押下（押圧）操作を受け付けるための略円形のプッシュスイッチ５８０が設けてある。なお、モード切替スイッチ５１０の回動の中心軸と、ダイヤルスイッチ５２０の回動の中心軸とは一致するようにしてあり、回動の中心軸と固定軸５３０及びプッシュスイッチ５８０の中心とは一致するようにしてある。
【０１１７】
固定軸５３０は、中心にプッシュスイッチ５８０を設けるための貫通孔５３１ａが形成された略円板形のカバー部５３１と、カバー部５３１の上面と略同じ大きさの円板部分５３２ａ及びこれより径の小さい円筒部分５３２ｂが同軸に連結された上側軸部５３２と、上側軸部５３２の円筒部分５３２ｂと略等しい径の円筒部分５３３ａ及びこれより径の大きい円筒状のベース部分５３３ｂが同軸に連結された下側軸部５３３とを備えて構成されている。
【０１１８】
基板５５０に下側軸部５３３のベース部分５３３ｂをねじなどにより不動に固定し、下側軸部５３３の円筒部分５３３ａに上側軸部５３２の円筒部分５３２ｂが係合爪などの係合により不動に固定し、上側軸部５３２の円板部分５３２ａにカバー部５３１を係合爪などの係合により不動に固定することによって、固定軸５３０が組み立てられ基板５５０に対して不動に固定される。
【０１１９】
また、組み立てられた固定軸５３０は、カバー部５３１の貫通孔５３１ａと、上側軸部５３２の円筒部分５３２ｂの内部と、下側軸部５３３の内部とが連通する。即ち、固定軸５３０は筒状であり、最上のカバー部５３１から最下の基板５５０まで貫通孔が設けられている。ただし、カバー部５３１の貫通孔５３１ａの内径及び下側筒部５３３のベース部分５３３ｂの内径は、上側軸部５３２の円筒部分５３２ｂ及び下側軸部５３３の円筒部５３３ａの内径よりも大きい。
【０１２０】
また、固定軸５３０のカバー部５３１の上面には、透明な合成樹脂などで形成され内外に光を透過させることができる透光部５３１ｂが設けてある。また、カバー部５３１には下面から透光部５３１ｂまで光を通すための間隙５３１ｃが形成してあり、カバー部５３１の下側からの光を、間隙５３１ｃ及び透光部５３１ｂを通して外部へ照射することができるようにしてある。
【０１２１】
基板５５０には２つのＬＥＤ（Light Emitting Diode）５５１が搭載してあり、操作装置５５０は、固定軸５３０内を通して基板５５０のＬＥＤ５５１が発する光をカバー部５３１の下側まで導く導光部材５８５を備えている。導光部材５８５は、透明な合成樹脂などで形成されている。
【０１２２】
導光部材５８５は、上側導光部５８６及び下側導光部５８７の２つに分割されている。上側導光部５８６は、固定軸５３０の上側軸部５３２の円板部分５３２ａより若干小さい円板部分５８６ａと、上側軸部５３２の円筒部分５３２ｂに内嵌する円筒部分５８６ｂとが同軸に連結された構成である。下側導光部５８７は、固定軸５３０の下側軸部５３３の円筒部分５３３ａに内嵌する円筒部分５８７ａと、下側軸部５３３のベース部分５３３ｂに収容可能な大きさの円筒状をなすベース部分５８７ｂとがどう軸に連結された構成である。
【０１２３】
導光部材５８５の下側導光部５８７には、ベース部分５８７ｂの下端に２つの切り欠きが形成してあり、切り欠きの部分が基板５５０の２つのＬＥＤ５５１の上側を覆うように、下側導光部５８７は基板５５０に取り付けられる。なお、下側導光部５８７は基板５５０にねじ止めなどにより固定する必要はなく、下側導光部５８７の円筒部分５８７ａに外嵌した固定軸５３０の下側軸部５３３を基板５５０に固定することによって、下側導光部５８７は基板５５０に不動に固定される。導光部材５８５の上側導光部５８６は、円板部分５８６ａが固定軸５３０のカバー部５３１及び上側軸部５３２に挟まれて固定される。
【０１２４】
固定軸５３０の上側軸部５３２と下側軸部５３３とを連結して固定した場合には、上側軸部５３２の円柱部分５３２ｂに内嵌した上側導光部５８６の円柱部分５８６ｂの下面と、下側軸部５３３の円柱部分５３３ａに内嵌した下側導光部５８７の円柱部分の上面とが当接する、又は微小距離を隔てて対向する。これにより、ＬＥＤ５５１が発する光は、導光部材５８５の下側導光部５８７から上側導光部５８７へ、更には固定軸５３０のカバー部５３１の下側まで導かれ、カバー部５３１の間隙５３１ｃを通して透光部５３１ｂから外部へ照射される。
【０１２５】
固定軸５３０に設けられるプッシュスイッチ５８０は、上面を有する円筒状のカバー部５８１と、下面を有してカバー部５８１に内嵌する円筒状のベース部５８２と、ベース部５８２の下面の略中心に固定された押圧棒部５８３とを備えて構成されている。プッシュスイッチ５８０のカバー部５８１は、ベース部５８２に外嵌した状態で係合爪などにより不動に固定される。
【０１２６】
プッシュスイッチ５８０のカバー部５８１は、固定軸５３０のカバー部５３１に形成された貫通孔５３１ａに内嵌する大きさである。プッシュスイッチ５８０のカバー部５８１の外周面には軸方向に長い複数のスリットが形成してあり、固定軸５３０のカバー部５３１の貫通孔５３１ａの内周面にはこのスリットに収まる複数の突起が形成してある。このスリットと突起との係合により、固定軸５３０のカバー部５３１の貫通孔５３１ａに内嵌したプッシュスイッチ５８０は、スリットに沿って軸方向に（上下方向に）移動することができる。なお、プッシュスイッチ５８０のカバー部５８１の外周面に複数の突起を形成すると共に、固定軸５３０のカバー部５３１に設けられた貫通孔５３１ａの内周面に、この複数の突起が収まる軸方向に長い複数のスリットを形成し、プッシュスイッチ５８０がスリットに沿って軸方向に（上下方向に）移動することができる構成としてもよい。
【０１２７】
プッシュスイッチ５８０の押圧棒部５８３は、導光部材５８５の上側導光部５８６の円筒部５８６ｂ及び下側導光部５８７の円筒部５８７ａの内部を挿通可能な太さの丸棒である。基板５５０には２つのＬＥＤ５５１の間に押圧を検知する押圧検知スイッチ５５２が設けてあり、カバー部５８１の上面が押圧されてプッシュスイッチ５８０が下方へ移動した場合に、導光部材５８５内に挿通された押圧棒部５８３の下端が、押圧検知スイッチ５５２の上部を押圧できるようにしてある。押圧検知スイッチ５５２は、上部に設けられた操作部分（図示は省略する）に対する押圧を検知する電子部品であり、この操作部分は押圧に抗する方向へ付勢されているため、押圧操作がなされていない場合にプッシュスイッチ５８０は押圧検知スイッチ５の付勢力によって上方へ移動する。
【０１２８】
ダイヤルスイッチ５２０は、ユーザが触れて操作を行うために外部に露出した操作部５２１と、固定軸５３０の上側軸部５３２及び下側軸部５３３に外嵌する回動軸部５２２とを備えて構成されている。操作部５２１は、外周面に滑り止め用の凹凸が複数形成された径の大きい大径円筒部分５２１ａと、これより径が小さい小径円筒部分５２１ｂとを同軸に連ねた構成である。操作部５２１の大径円筒部分５２１ａ内に、固定軸５３０のカバー部５３１が収められる。
【０１２９】
また、ダイヤルスイッチ５２０の回動軸部５２２は、固定軸５３０の上側軸部５３２の円筒部分５３２ｂ及び下側軸部５３３の円筒部分５３３ａに外嵌する小径円筒部分５２２ａと、これより径が大きく固定軸５３０の下側軸部５３３のベース部５３３ｂを内部に収容可能な大きさの大径円筒部分５２２ｂとを同軸に連ねた構成である。回動軸部５２２は、基板５５０に固定された固定軸５３０の下側軸部５３３に外嵌して回動可能に保持される。操作部５２１の下端及び回動軸部５２２の上端は係合爪などの係合により固定され、操作部５２１及び回動軸部５２２は一体に回動するようにしてある。即ち、筒状をなすダイヤルスイッチ５２０は、基板５５０に固定された固定軸５３０に外嵌する態様で回動可能に保持される。
【０１３０】
ダイヤルスイッチ５２０の回動軸部５２２の小径円筒部分５２２ａには、外周面の一周に亘って複数の凹部又は凸部が所定の間隔でそれぞれ並設された第１クリック面５６１及び第２クリック面５６２が形成してある。第１クリック面５６１の凹部又は凸部の数は、第２クリック面５６２の凹部又は凸部の数より多く、第１クリック面５６１及び第２クリック面５６２は回動軸部５２２の軸方向に並べて形成してある。回動軸部５２２と、第１クリック面５６１及び第２クリック面５６２とは、合成樹脂による一体成型などで一体的に形成してある。
【０１３１】
ダイヤルスイッチ５２０の回動軸部５２２の大径円筒部分５２２ｂには、下端部分の一周に亘って複数の遮光部５６５が形成してある。各遮光部５６５は、略矩形をなし、回動軸部５２２の下端から延出して設けられている。また、複数の遮光部５６５はすべて略同じ形状であり、周方向に略等間隔で回動軸部５２２の下端に並べて形成してある。複数の遮光部５６５は、基板５５０に設けられた２つのフォトインタラプタ５５３と組み合わせて用いられ、これによりダイヤルスイッチ５２０の回動が検知される。遮光部５６５及びフォトインタラプタ５５３による回動検知の詳細については後述する。
【０１３２】
また、操作装置５００は、ダイヤルスイッチ５２０の回動軸部５２２の小径円筒部分５２２ａが挿通可能な円筒状（又は円環状）をなす被係合部材５４０を備えている。被係合部材５４０は、円筒部５４１と、この円筒部５４１の外周面からラジアル方向に突出して設けられた２つの支軸部５４２とを有している。２つの支軸部５４２は、円筒部５４１の外周面の反対位置にそれぞれ設けてある。
【０１３３】
また、被係合部材５４０の円筒部５４１の内周面には、円柱状の部材を収容可能な収容穴部５４３が形成されている。収容穴部５４３には、一端側が閉塞された円筒状をなす被係合部５４４と、この被係合部５４４を付勢するコイルバネ５４５とを収容するようにしてある。被係合部５４４は一端部が円錐状に突起させてあり、この端部が円筒部５４１の中心へ向かうように、収容穴部５４３に収容されたコイルバネ５４５が被係合部５４４を付勢する。
【０１３４】
被係合部材５４０の円筒部５４１の内径は、ダイヤルスイッチ５２０の回動軸部５２２の小径円筒部分５２２ａの外径より若干大きい程度であり、小径円筒部５２２ａを円筒部５４１に挿通した場合、コイルバネ５４５により付勢された被係合部材５４４が第１クリック面５６１又は第２クリック面５６２に係合される。被係合部材５４０は、モード切替スイッチ５１０の回動に伴って軸方向へ移動し、この移動に伴って被係合部５４４の端部が第１クリック面５６１又は第２クリック面５６２のいずれかに係合される。
【０１３５】
また操作装置５００は、被係合部材５４０及びモード変更スイッチ５１０等を指示するためのベース筒５７０を備えている。ベース筒５７０は円筒状をなし、ダイヤルスイッチ５２０の回動軸部５２２、固定軸５３０及び被係合部材５４０等を内部に収容することができる大きさ及び形状である。
【０１３６】
ベース筒５７０は、一端側には軸方向に長い２つの切り欠き５７１が形成され、他端側にて基板５５０にねじ止めなどによって不動に固定される。一端側の２つの切り欠き５７１は、ベース筒５７０の軸心を間にして反対側にそれぞれ形成されている。切り欠き５７１の幅は、被係合部材５４０の支軸部５４２の径に略等しいか又は若干大きく、支軸部５４２を切り欠き５７１内に挿入することができると共に、ベース筒５７０の軸方向に切り欠き５７１内を支軸部５４２が移動することができるようにしてある。
【０１３７】
また、ベース筒５７０の一端側の内径は被係合部材５４０の円筒部５４１の外径より若干大きい程度であり、外径は被係合部材５４０の中心から支軸部５４２の突出端までの距離より十分に小さくしてある。ダイヤルスイッチ５２０の回動軸部５２２に挿通された被係合部材５４０の２つの支軸部５４２をベース筒５７０の２つの切り欠き５７１に挿入することによって、被係合部材５４０は、切り欠き５７１に沿って軸方向に移動可能に、且つ、回動不可能にベース筒５７０に指示される。この状態では、被係合部材５４０の２つの支軸部５４２は、切り欠き５７１を挿通してベース筒５７０の外側へ突出した状態である。
【０１３８】
モード切替スイッチ５１０は、略卵形の板状をなしてユーザが触れて回動操作を行うための操作部５１１と、この操作部５１１と一体に回動すると共に操作部５１１を揺動可能に支持する円筒部５１２及びカバー部５１３とを有している。モード切替スイッチ５１０の円筒部５１２は、ベース筒５７０に外嵌する大きさの円筒状をなしており、ベース筒５７０の外周面に一周に亘って設けられた鍔部５７２上に、ベース筒５７０の外周面に沿って回動可能に支持される。
【０１３９】
円筒部５１２には円柱状の部材を収容可能な収容部５１２ａが形成されており、収容部５１２ａには、一端側が閉塞された円筒状をなす被係合部５１４と、この被係合部５１４を付勢するコイルバネ５１５とを収容するようにしてある。被係合部５１４は一端部が円錐状に突起させてあり、この端部が円筒部５１２の中心へ向かうように、収容部５１２ａに収容されたコイルバネ５１５が被係合部５１４を付勢する。ベース筒５７１の外周面には、周方向に形成された複数の凹部又は凸部によるクリック面５７３が設けてあり、ベース筒５７１に外嵌したモード変更スイッチ５１０の円筒部５１２の被係合部５１４がコイルバネ５１５に付勢されたクリック面５７３に係合される。これにより、モード変更スイッチ５１０の回動に伴ってクリック感を生じさせることができる。
【０１４０】
モード切替スイッチ５１０の操作部５１１には、円筒部５１２の外径より若干大きい円形の貫通孔５１１ａが形成されており、貫通孔５１１ａの内周には対向する位置に２つの揺動軸５１１ｂが中心へ向けて突設してある。モード切替スイッチ５１０の円筒部５１２の一端（上端）には、操作部５１１の揺動軸５１１ｂを収容して、操作部５１１を揺動可能に保持する２つの保持部５１２ｂが対向する位置に形成されている。円筒部５１２の保持部５１２ｂにて操作部５１１の揺動軸５１１ｂを保持した状態で、カバー部５１３が円筒部５１２の一端に固定されて、モード切替スイッチ５１０が構成され、ユーザはモード切替スイッチ５１０の操作部５１１に対して回動操作及び揺動操作を行うことができる。
【０１４１】
モード切替スイッチ５１０のカバー部５１３は、円筒部５１２と略同じ外径の円板状をなしており、ダイヤルスイッチ５２０の操作部５２１の小径円筒部分５２１ｂが挿通可能な大きさの略円形の貫通孔５１３ｂが形成してある。カバー部５１３は円筒部５１２の一端に係合爪の係合などにより固定される。これにより、モード切替スイッチ５１０の操作部５１１は、円筒部５１２の保持部５１２ｂから外れることなく保持される。
【０１４２】
また、モード切替スイッチ５１０の円筒部５１２の他端（下端）には、周方向の一部に３つの遮光部５１６が設けてある。３つの遮光部５１６は、略矩形をなし、円筒部５１２の下端の一部から延出して設けられている。また、３つの遮光部５１６は、円筒部５１２の周方向に略等間隔で並べて設けてある。３つの遮光部５１６は、基板５５０に設けられた３つのフォトインタラプタ５５４と組み合わせて用いられ、これによりモード切替スイッチ５１０の回動位置を検知が検知される。遮光部５１６及びフォトインタラプタ５５４によるモード切替スイッチ５１０の回答位置検知の詳細については後述する。
【０１４３】
また、モード切替スイッチ５１０の円筒部５１２には、周方向に長い長孔状の案内溝５１７が形成されている。ただし、案内溝５１７は、一端部から他端部まで円筒部５１２の周方向に沿って長い形状であるが、途中で若干折り曲げられて一側から他側へ徐々に変位する部分が設けてある。また、案内溝５１７は、円筒部５１２の軸心を間にして両側にそれぞれ形成されており、２つの案内溝５１７は略同じ形状である。案内溝５１７の幅は、被係合部材５４０に設けられた支軸部５４２を収容できる大きさであり、支軸部５４２の直径に等しいか又は若干大きい。
【０１４４】
ベース筒５７０の２つの切り欠き５７１に被係合部材５４０の２つの支軸部５４２が支持された状態では、２つの支軸部５４２がベース筒５７０の切り欠き５７１を挿通して外部へ突出する。この支軸部５４２の突出部分が、モード切替スイッチ５１０の円筒部５１２に形成された案内溝５１７へ挿入される。
【０１４５】
上述のように、ベース筒５７０に支持された被係合部材５４０は、ベース筒５７０の切り欠き５７１に沿って軸方向に移動することができる。ベース筒５７０に円筒部５１２が外嵌されたモード切替スイッチ５１０が回動操作された場合、ベース筒５７０及び被係合部材５４０は回動不能に固定されているため、モード切替スイッチ５１０のみが回動する。このとき、被係合部材５４０の支軸部５４２は、モード切替スイッチ５１０の円筒部５１２に形成された案内溝５１７に挿入されており、円筒部５１２の回動に伴って案内溝５１７への挿入位置が変化するため、案内溝５１７の変位部分に沿ってベース筒５７０の軸方向へ移動する。よって、モード切替スイッチ５１０の回動により被係合部材５４０を軸方向へ移動させることができ、被係合部材５４０の被係合部５４４が係合されるダイヤルスイッチ５２０の回動軸５２２に形成されたクリック面が変更され、モード切替スイッチ５１０の回動位置に応じたクリック感の変更を行うことができる。
【０１４６】
操作装置５００を組み立てる場合には、まず、導光部材５８５の下側導光部５８７を収容した固定軸５３０の下側軸部５３３を基板５５０に固定し、固定軸５３０の下側軸部５３３にダイヤルスイッチ５２０のダイヤル軸５２２の回動軸部５２２を外嵌させる。次いで、ベース筒５７０を基板５５０に固定し、被係合部材５４０の支軸部５４２をベース筒５７０の切り欠き５７１に挿入することによって、ダイヤルスイッチ５２０のダイヤル軸５２２の外側に且つベース筒５７０の内側に被係合部材５４０を保持する。更に、モード切替スイッチ５１０の円筒部５１２をベース筒５７０に外嵌させた後、これらを筺体５０１内に収容する。この状態においては、筺体５０１の上面５０１ａにはモード変更スイッチ５０１の操作部５１１に形成された貫通孔５１１ａと略同じ大きさの貫通孔５０２が形成してあり、モード切替スイッチ５１０の円筒部５１２の一端が筺体５０１の貫通孔５０２から突出する。
【０１４７】
次いで、筺体５０１の貫通孔５０２から突出したモード切替スイッチ５１０の円筒部５１２の一端に設けられた保持部５１２ｂに操作部５１１の揺動軸５１１ｂを保持させて、カバー部５１３を円筒部５１２に固定する。次いで、ダイヤルスイッチ５２０の操作部５２１を、小径円筒部分５２１ｂをモード切替スイッチ５１０内に挿通して、ダイヤル軸部５２２に固定する。また、固定軸５３０の上側軸部５３２を、円筒部分５３２ｂをダイヤルスイッチ５２０内に挿通して、下側軸部５３３に固定する。
【０１４８】
次いで、導光部材５８５の上側導光部５８６の円筒部分５８６ｂを固定軸５３０内に挿通し、更にプッシュスイッチ５８０の押圧棒部５８３を導光部材５８５内に挿通して、プッシュスイッチ５８０のカバー部５８１をベース部５８２に固定する。なおこのときに、予めプッシュスイッチ５８０のカバー部５８１をベース部５８２に固定した後、プッシュスイッチ５８０の押圧棒部５８３を導光部材５８５内に挿通してもよい。その後、固定軸５３０のカバー部５３１を上側軸部５３２に固定して、操作装置５００が構成される。
【０１４９】
また、操作装置５００は、モード切替スイッチ５１０の操作部５１１の揺動を検知するための２つの押圧検知スイッチ５５５が基板５５０に設けてある。押圧検知スイッチ５５５は、押圧検知スイッチ５５２と同様であり、上部に設けられた操作部分（図示は省略する）に対する押圧を検知する電子部品であり、この操作部分は押圧に抗する方向へ付勢されている。操作装置５００は、２つの押圧検知スイッチ５５５をそれぞれ押圧するための２つの押圧棒５５６を備えており、ベース筒５７０の鍔部５７２には押圧棒５５６を保持するための２つの保持部５７４が設けてある。
【０１５０】
保持部５７４は、鍔部５７２に形成された貫通孔であり、この貫通孔に押圧棒５５６を挿通することによって、押圧棒５５６が軸方向（上下方向）に移動可能に保持される。２つの保持部５７４は、ベース筒５７０の軸心を間に反対の位置にそれぞれ設けてあると共に、ベース筒５７０が基板５５０に固定された場合に、基板５５０上の押圧検知スイッチ５５５と対向する位置にそれぞれ設けてある。よって、保持部５７４に保持された押圧棒５５６の移動により、基板５５０上の押圧検知スイッチ５５５を押圧することができ、押圧検知スイッチ５５５の付勢力により基板５５０から離れる方向へ押圧棒５５６は付勢される。
【０１５１】
また、筺体５０１の上面５０１ａには、貫通孔５０２を間にして２つの貫通孔５０３が形成してある。筺体５０１の貫通孔５０３は押圧棒５５６が挿通可能な大きさであり、ベース筒５７０の保持部５７４に保持され、押圧検知スイッチ５５５により付勢された押圧棒５５６の一端部分が貫通孔５０３から突出する。これにより、モード切替スイッチ５１０の操作部５１１が揺動操作された場合、揺動に伴って押圧棒５５６が押圧検知スイッチ５５５を押圧するため、操作装置５００はモード切替スイッチ５１０に対する押圧操作を検知することができる。
【０１５２】
次に、モード切替スイッチ５１０の回動位置検知及びダイヤルスイッチ５２０の回動検知の方法について説明する。なお以下の説明においては、モード切替スイッチ５１０を５段階で（即ち、段階的に５つの回動位置に）回動させることができる構成について説明するが、これに限るものではなく、回動位置が４つ以下又は６つ以上であっても同様の方法で回動位置の検知を行うことが可能である。
【０１５３】
図２３は、筺体５０１の図示を省略した操作装置５００の斜視図である。基板５５０に搭載された３つのフォトインタラプタ５５４は、基板５５０に固定されたベース筒５７０の外周面に沿って等間隔に並べて設けてある。フォトインタラプタ５５４は、長方形の板を２か所屈曲させた態様の略Ｕ字形をなし、内側の２つの対向面に発光部及び受光部をそれぞれ設けたものである（図示は省略する）。一面側の発光部が発した光を他面側の受光部が受光できるか否かにより、フォトインタラプタ５５４は遮光を検知することができる。
【０１５４】
モード切替スイッチ５１０が有する３つの遮光部５１６は、円筒部５１２の下端から更に下方に延び出すように、円筒部５１２の周方向に沿って等間隔に設けてある。円筒部５１２の遮光部５１６は、モード切替スイッチ５１０の回動に伴って、基板５５０に設けられたフォトインタラプタ５５４の発光部及び受光部の間を通って回動するようにしてある。
【０１５５】
また、モード切替スイッチ５１０の隣り合う遮光部５１６の間隔は、基板５５０上の隣り合うフォトインタラプタ５５４の間隔より狭い。詳しくは、隣り合う２つのフォトインタラプタ５５４の間隔と、３つのうちの両端の２つの遮光部５１６の間隔とが略等しい（換言すれば、隣り合う遮光部５１６の中心間の距離は、隣り合うフォトインタラプタ５５４の中心間の距離の半分である）。
【０１５６】
図２４及び図２５は、モード切替スイッチ５１０の回動位置検知の方法を説明するための模式図であり、図２４（ａ）〜（ｅ）にモード切替スイッチ５１０の５つの回動位置での遮光部５１６及びフォトインタラプタ５５４の状態を模式的に示してある。また、図２５には図２４の（ａ）〜（ｅ）の回動位置における各フォトインタラプタ５５４の出力値を表にまとめて示してある。なお、図２４及び図２５においては、３つの遮光部５１６をそれぞれ５１６ａ〜５１６ｃとして区別し、同様に３つのフォトインタラプタ５５４を５５４ａ〜５５４ｃとして区別してある。また、各フォトインタラプタ５５４は、発光部からの光が遮光された場合に”Ｈ（ハイ）”信号を出力し、発光部からの光を受光部が受講した場合に”Ｌ（ロー）”信号を出力するものとする。
【０１５７】
モード切替スイッチ５１０が平面視で最も左側の位置へ回動された場合（図中（ａ）参照）、中央の遮光部５２６ｂが右側のフォトインタラプタ５５４ｃを遮光する。よって、フォトインタラプタ５５４ａ及び５５４ｂが”Ｌ”を出力し、フォトインタラプタ５５４ｃのみが”Ｈ”を出力する。
【０１５８】
モード切替スイッチ５１０が平面視で左から２番目の位置へ回動された場合（図中（ｂ）参照）、遮光部５１６ａが中央のフォトインタラプタ５５４ｂを遮光し、遮光部５１６ｃがフォトインタラプタ５５４ｃを遮光する。よって、フォトインタラプタ５５４ａのみが”Ｌ”を出力し、フォトインタラプタ５５４ａ及び５５４ｂが”Ｈ”を出力する。
【０１５９】
モード切替スイッチ５１０が平面視で中央の位置へ回動された場合（図中（ｃ）参照）、中央の遮光部５１６ｂが中央のフォトインタラプタ５５４ｂを遮光する。よって、フォトインタラプタ５５４ａ及び５５４ｃが”Ｌ”を出力し、フォトインタラプタ５５４ｂのみが”Ｈ”を出力する。
【０１６０】
モード切替スイッチ５１０が平面視で右から２番目の位置へ回動された場合（図中（ｄ）参照）、遮光部５１６ａがフォトインタラプタ５５４ａを遮光し、遮光部５１６ｃが中央のフォトインタラプタ５５４ｂを遮光する。よって、フォトインタラプタ５５４ａ及び５５４ｂが”Ｈ”を出力し、フォトインタラプタ５５４ｃのみが”Ｌ”を出力する。
【０１６１】
モード切替スイッチ５１０が平面視で最も右側の位置へ回動された場合（図中（ｅ）参照）、中央の遮光部５１６ｂがフォトインタラプタ５５４ａを遮光する。よって、フォトインタラプタ５５４ａのみが”Ｈ”を出力し、フォトインタラプタ５５４ｂ及び５５４ｃが”Ｌ”を出力する。
【０１６２】
以上により、モード切替スイッチ５１０の５つの回動位置において、３つのフォトインタラプタ５５４が出力する信号”Ｈ”又は”Ｌ”の組み合わせが全て異なることから、出力信号の組み合わせを調べることによって回動位置を検知することができる。出力信号の組み合わせの判断は、基板５５０に搭載された制御回路などで行う。
【０１６３】
なお、本実施の形態に係る操作装置５００においては、隣り合う遮光部５１６ａ〜５１６ｃの中心間の距離が、隣り合うフォトインタラプタ５５４ａ〜５５４ｃの中心間の距離の半分としたが、これに限るものではない。例えば、隣り合う遮光部５１６ａ〜５１６ｃの間隔と隣り合うフォトインタラプタ５５４ａ〜５５４ｃの間隔とが等しい構成であってもよい。この構成においては、モード切替スイッチ５１０が中央位置に回動された場合（図２４（ｃ）に対応する）、３つの遮光部５１６ａ〜５１６ｃが３つのフォトインタラプタ５５４ａ〜５５４ｃをそれぞれ遮光するよう構成する。また、モード切替スイッチ５１０が最も右側の位置へ回動された場合（図２４（ｅ）に対応する）、１つの遮光部５１６ａが１つのフォトインタラプタ５５４ｃを遮光するよう構成する。これにより、モード切替スイッチ５１０の５つの回動位置を３つのフォトインタラプタ５５４ａ〜５５４ｃの出力信号の組み合わせに応じて検知することができる。
【０１６４】
図２６は、筺体５０１、モード切替スイッチ５１０、ベース筒５７０及び被係合部材５４０等の図示を省略した操作装置５００の斜視図である。基板５５０に搭載された２つのフォトインタラプタ５５３は、基板５５０に固定された固定軸５３０の下側軸部５３３の周囲に、且つ、基板５５０に固定されたベース筒５７０の内側に、周方向に等間隔で並べて設けてある。フォトインタラプタ５５３は、フォトインタラプタ５５４と同様の構成であり、発光部からの光を受光部が受光できるか否かにより遮光を検知でき、遮光された場合に”Ｈ”信号を出力し、遮光されない場合に”Ｌ”信号を出力する。
【０１６５】
ダイヤルスイッチ５２０が有する複数の遮光部５６５は、回動軸部５２２の大径円筒部分５２２ｂの下端から更に下方に延び出すように、大径円筒部分５２２ｂの周方向に沿って等間隔に設けてある。複数の遮光部５６５は、ダイヤルスイッチ５２０の回動に伴って、基板５５０に設けられたフォトインタラプタ５５３の発光部及び受光部の間を通って回動するようにしてある。
【０１６６】
また、ダイヤルスイッチ５２０の隣り合う遮光部５６５の間隔は、基板５５０上の２つのフォトインタラプタ５５３の間隔より狭い。例えば、遮光部５６５の間隔を、フォトインタラプタ５５３の間隔の３／４程度に設定することができる。
【０１６７】
図２７乃至図２９は、ダイヤルスイッチ５２０の回動検知の方法を説明するための模式図であり、図２４にダイヤルスイッチ５２０を時計回りに回動させた場合の遮光部５６５及びフォトインタラプタ５５３の状態を（ａ）〜（ｅ）の順で時系列に示し、図２５にダイヤルスイッチ５２０を反時計回りに回動させた場合の遮光部５６５及びフォトインタラプタ５５３の状態を（ａ）〜（ｅ）の順で時系列に示す。また、２つのフォトインタラプタ５５３の出力信号を図２９に示し、図２９（ａ）がダイヤルスイッチ５２０を時計回りに回動させた場合であり、図２９（ｂ）がダイヤルスイッチ５２０を反時計回りに回動させた場合である。なお、図２７乃至図２９においては、２つのフォトインタラプタ５５３をそれぞれ５５３ａ及び５５３ｂとして区別してある。
【０１６８】
２つのフォトインタラプタ５５３ａ及び５５３ｂが共に遮光されていない状態から、ダイヤルスイッチ５２０が時計回りに回動された場合、フォトインタラプタ５５３ｂが先に遮光され、その後にフォトインタラプタ５５３ａが遮光される（図２７（ａ）〜（ｅ）参照）。
【０１６９】
これに対して、２つのフォトインタラプタ５５３ａ及び５５３ｂが共に遮光されていない状態から、ダイヤルスイッチ５２０が反時計回りに回動された場合、フォトインタラプタ５５３ａが先に遮光され、その後にフォトインタラプタ５５３ｂが遮光される（図２８（ａ）〜（ｅ）参照）。
【０１７０】
よって、２つのフォトインタラプタ５５３ａ及び５５３ｂが出力する信号を比較すると、ダイヤルスイッチ５２０を時計回りに回動させた場合には（図２９（ａ）参照）、フォトインタラプタ５５３ｂが出力する信号が先に”Ｈ”に変化して、その後にフォトインタラプタ５５３ａが出力する信号が”Ｈ”に変化する。これに対して、ダイヤルスイッチ５２０を反時計回りに回動させた場合には（図２９（ｂ）参照）、フォトインタラプタ５５３ａが出力する信号が先に”Ｈ”に変化して、その後にフォトインタラプタ５５３ｂが出力する信号が”Ｈ”に変化する。
【０１７１】
以上により、２つのフォトインタラプタ５５３が出力する信号が”Ｌ”から”Ｈ”へ（又は”Ｈ”から”Ｌ”へ）変化するタイミングを調べることによって、ダイヤルスイッチ５２０の回動方向を検知することができる。また、フォトインタラプタ５５３が出力する信号の変化の間隔を調べることによって、ダイヤルスイッチ５２０の回動速度を検知することもできる。２つのフォトインタラプタ５５３の出力信号の変化のタイミング及び変化の間隔等の判断は、基板５５０に搭載された制御回路などで行う。
【０１７２】
以上の構成の実施の形態５に係る操作装置５００は、ダイヤルスイッチ５２０の回動軸部５２２の下端に一周に亘って設けた複数の遮光部５６５による遮光を２つのフォトインタラプタ５５３にて検知し、２つのフォトインタラプタ５５３が検知した遮光のタイミングに応じてダイヤルスイッチ５２０の回動方向及び回動量を検知する構成とすることにより、実施の形態１に係る操作装置のようにロータリエンコーダ５１を用いて回動検知を行う場合と比較して、回動検知の手段を小型且つ安価に実現することができる。よって、操作装置５００の小型化且つ低コスト化を実現できると共に、プッシュスイッチ５８０のための押圧検知スイッチ５５２及び発光のためのＬＥＤ５５１等を基板５５０に搭載するスペースを確保することができる。
【０１７３】
また、モード切替スイッチ５１０の円筒部５１２の下端に設けた３つの遮光部５１６による遮光を３つのフォトインタラプタ５５４にて検知し、３つのフォトインタラプタによる遮光の検知結果の組み合わせに応じてモード切替スイッチ５１０の回動位置を検知する構成とすることにより、モード切替スイッチ５１０による回動位置が多い場合であっても、操作装置５００を大型化することなく容易に回動位置の検知を行うことができる。よって、操作装置５００の更なる多機能化を容易に実現することができる。また、フォトインタラプタ５５３及び５５４は回動する部品と無接点で検知を行うことができるため、摩耗による故障などが発生する虞がなく、検知のための機構の信頼性を高めることができる。
【０１７４】
また、操作装置５００が押圧操作を受け付けるプッシュスイッチ５８０を備え、プッシュスイッチ５８０の押圧棒部５８３が固定軸５３０内（即ち、ダイヤルスイッチ５２０内）を挿通して基板５５０の押圧検知スイッチ５５２を押圧する構成とすることにより、操作装置５００を大型化することなく、ユーザの押圧操作を操作装置５００が受け付けることができるため、操作装置５００の多機能化を実現でき、操作性を向上することができる。
【０１７５】
また、基板５５０に設けたＬＥＤ５５１が発する光を、固定軸５３０内に設けられた導光部材５８５を通して、ダイヤルスイッチ５２０の操作部５２１内に配される固定軸５３０のカバー部５３１内まで導き、カバー部５３１に設けた透光部５３１ｂから外部へ照射する構成とすることにより、操作装置５００が発光する視覚的効果を与えることができるため、操作装置５００の美観を高めることができると共に、夜間などにおける操作装置５００の操作性を高めることができる。
【０１７６】
なお、実施の形態５においては、操作装置５００が筺体５０１を備える構成としたが、これに限るものではなく、筺体５０１を備えずに、例えば車輌のインストルメントパネルなどを筺体とする構成であってもよい。また、ＬＥＤ５５１が発する光を固定軸５３０のカバー部５３１に設けた透光部５３１ｂから外部へ照射する構成としたが、これに限るものではなく、固定軸５３０のカバー部５３１から更にダイヤルスイッチ５２０又はプッシュスイッチ５８０等へ光を導き、これらに透光部を設けて発光させる構成としてもよい。また、モード切替スイッチ５１０を揺動可能な構成としたが、これに限るものではなく、モード切替スイッチ５１０を揺動不可能な構成として回動操作のみを受け付ける構成としてもよい。
【０１７７】
なお、実施の形態１〜５においては、回動操作に伴うクリック数の変化によりクリック感を変化させる構成としたが、これに限るものではない。例えば、クリックの硬さ（ダイヤルスイッチの回動により被係合部を１つの凹凸を乗り越えさせて次の凹凸へ移動させるのに必要な力）の変化によりクリック感を変化させてもよい。この場合、各クリック面の凹凸の数が同じであってもよく、各クリック面の凹凸の形状（高さなど）を変化させればよい。また、同一モード内でクリック間隔が変動する構成とし、異なるモード間ではクリック間隔の変動度合いを変化させることによって、モード間でのクリック感を変化させてもよい。この場合、例えば第１クリック面はダイヤルスイッチを右方向へ回動した際にクリック間隔が徐々に広がるように凹凸の間隔を設定し、第２クリック面はダイヤルスイッチを左方向へ回動した際にクリック間隔が徐々に広がるように凹凸の間隔を設定するなど、凹凸の数が同じであっても凹凸の間隔を適宜に設定することによってモード変更に伴ってクリック感を変更することができる。このように、複数のクリック面について凹凸の数のみでなく凹凸の形状などを適宜に変化させることでクリック感を変化させることができることは、本発明の開示より明らかである。
【図面の簡単な説明】
【０１７８】
【図１】本発明の実施の形態１に係る操作装置の構成を示す三面図である。
【図２】本発明の実施の形態１に係る操作装置の内部構成を示す断面図である。
【図３】本発明の実施の形態１に係る操作装置の構成を示す側面図である。
【図４】本発明の実施の形態１に係る操作装置の構成を示す側面図である。
【図５】本発明の実施の形態１に係る操作装置のクリック数変更部材の構成を示す模式的斜視図である。
【図６】本発明の実施の形態１に係る操作装置のクリック数の変更を説明するための模式図である。
【図７】本発明の実施の形態２に係る操作装置の内部構成を示す断面図である。
【図８】本発明の実施の形態２に係る操作装置のクリック数の変更を説明するための模式図である。
【図９】本発明の実施の形態３に係る操作装置の内部構成を示す断面図である。
【図１０】本発明の実施の形態３に係る操作装置のクリック数の変更を説明するための模式図である。
【図１１】本発明の実施の形態３に係る操作装置の連結部及び被係合部材の構成を示す斜視図である。
【図１２】本発明の実施の形態３に係る操作装置の連結部の構成を示す側面図である。
【図１３】本発明の実施の形態４に係る操作システムの構成を示す平面図である。
【図１４】本発明の実施の形態４に係る操作装置の内部構成を示す断面図である。
【図１５】本発明の実施の形態４に係る操作装置のウェーブワッシャーの構成例を示す模式図である。
【図１６】実施の形態５に係る操作装置の構成を示す斜視図である。
【図１７】実施の形態５に係る操作装置の構成を示す三面図である。
【図１８】実施の形態５に係る操作装置の内部構成を示す三面図である。
【図１９】実施の形態５に係る操作装置の内部構成を示す三面図である。
【図２０】図１７のＡ−Ａ線による断面図である。
【図２１】図１７のＢ−Ｂ線による断面図である。
【図２２】実施の形態５に係る操作装置の分解斜視図である。
【図２３】筺体の図示を省略した操作装置の斜視図である。
【図２４】モード切替スイッチの回動位置検知の方法を説明するための模式図である。
【図２５】モード切替スイッチの回動位置検知の方法を説明するための模式図である。
【図２６】筺体、モード切替スイッチ、ベース筒及び被係合部材等の図示を省略した操作装置の斜視図である。
【図２７】ダイヤルスイッチの回動検知の方法を説明するための模式図である。
【図２８】ダイヤルスイッチの回動検知の方法を説明するための模式図である。
【図２９】ダイヤルスイッチの回動検知の方法を説明するための模式図である。
【符号の説明】
【０１７９】
１  外装部分
２〜４  モードマーク
１０  モード切替スイッチ
１１  操作部（第１の回動操作体）
１２  円筒部（筒体）
１３  切り欠き
１４  切り欠き
１５  案内溝（溝部）
２０  ダイヤルスイッチ
２１  操作部（第２の回動操作体）
２２  連結部（軸体）
３０  固定軸
３１  円板部
３２  円柱部
４０  ばね部材
４１  円環部
４２  板ばね部（被係合部）
５０  基板
５１  ロータリエンコーダ（回動検知手段）
５２  切替検知素子
６０  クリック数変更部材（移動体）
６１  円筒部
６２  第１クリック面（係合部）
６３  第２クリック面（係合部）
６４  支軸部（被挿入部）
７０  ベース筒
７１  切り欠き
２４０  被係合部材
２４１  円柱部
２４２  球体
２６０  クリック数変更部材
２６１  第１クリック面
２６２  第２クリック面
２６３  突起部
３００  操作装置
３３０  固定軸
３３１  円板部
３３２  円柱部
３８０  ウェーブワッシャー（環体）
５００  操作装置
５０１  筺体
５１０  モード切替スイッチ
５１１  操作部（第１の回動操作体）
５１１ｂ  揺動軸
５１２  円筒部（筒体）
５１３  カバー部
５１４  被係合部
５１５  コイルバネ
５１６  遮光部
５１７  案内溝（溝部）
５２０  ダイヤルスイッチ
５２１  操作部（第２の回動操作体）
５２２  回動軸部（軸部）
５３０  固定軸
５３１  カバー部
５３１ｂ  透光部
５３２  上側軸部
５３３  下側軸部
５４０  被係合部材（移動体）
５４１  円筒部
５４２  支軸部（被挿入部）
５４３  収容穴部
５４４  被係合部
５４５  コイルバネ
５５０  基板
５５１  ＬＥＤ（発光体）
５５２  押圧検知スイッチ（押圧検知手段）
５５３  フォトインタラプタ（遮光検知手段、回動検知手段）
５５４  フォトインタラプタ（遮光検知手段、回動位置検知手段）
５５５  押圧検知スイッチ（揺動検知手段）
５５６  押圧棒
５６１  第１クリック面（係合部）
５６２  第２クリック面（係合部）
５６５  遮光部
５７０  ベース筒
５７１  切り欠き
５７２  鍔部
５７３  クリック面
５７４  保持部
５８０  プッシュスイッチ（押圧操作体）
５８１  カバー部
５８２  ベース部
５８３  押圧棒部（押圧部材）
５８５  導光部材
５８６  上側導光部
５８７  下側導光部
【図１】
0004590459.tif 000002
【図２】
0004590459.tif 000003
【図３】
0004590459.tif 000004
【図４】
0004590459.tif 000005
【図５】
0004590459.tif 000006
【図６】
0004590459.tif 000007
【図７】
0004590459.tif 000008
【図８】
0004590459.tif 000009
【図９】
0004590459.tif 000010
【図１０】
0004590459.tif 000011
【図１１】
0004590459.tif 000012
【図１２】
0004590459.tif 000013
【図１３】
0004590459.tif 000014
【図１４】
0004590459.tif 000015
【図１５】
0004590459.tif 000016
【図１６】
0004590459.tif 000017
【図１７】
0004590459.tif 000018
【図１８】
0004590459.tif 000019
【図１９】
0004590459.tif 000020
【図２０】
0004590459.tif 000021
【図２１】
0004590459.tif 000022
【図２２】
0004590459.tif 000023
【図２３】
0004590459.tif 000024
【図２４】
0004590459.tif 000025
【図２５】
0004590459.tif 000026
【図２６】
0004590459.tif 000027
【図２７】
0004590459.tif 000028
【図２８】
0004590459.tif 000029
【図２９】
0004590459.tif 000030